(57)【要約】【課題】発電で地球最大の製造可能なエネルギが比重大物質の蒸気加速や真空中重力加速や落差で、水３Ｅ噴射速度も蒸気加速も真空も落差も製造可能です。【解決手段】落差製造用の重力発電建物１２の柱管１２Ｂを比重大物質上昇装置２Ｆ兼用として水３Ｅを最上部に上昇保存噴射し超臨界圧力水蒸気５Ｈ加速して真空中の重力加速度加速する竪型全動翼蒸気水重力タービン１１Ｚ発電とし、同一燃料量既存火力発電の１０００倍発電量や安価電気製造物駆動全盛狙いとして、簡単ガス機関８９Ｃや簡単空気噴射機関８９Ｄや簡単噴射機関８９Ｅ同一燃料量既存エンジンの１０００倍回転出力狙いとし、１００倍回転出力＋１００倍噴射推進出力等の各種機関として、自動車類は１／１００燃料費に飛行機類や船舶類は１０倍速度狙いにし、飛行機は宇宙到達費用１／５０万狙い等製造物全部運用の運用利益率抜群世界一永遠にする。【選択図】図３
2015086695.tif 000002
【特許請求の範囲】
【請求項１】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）を重力発電建物（１２）に具備した各種エネルギ保存サイクル合体機関及び合体方法。
【請求項２】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）を重力発電建物（１２）の柱管（１２Ｂ）に具備した各種エネルギ保存サイクル合体機関及び合体方法。
【請求項３】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）を重力発電建物（１２）の柱に具備した各種エネルギ保存サイクル合体機関及び合体方法。
【請求項４】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）を重力発電建物（１２）の中に具備した各種エネルギ保存サイクル合体機関及び合体方法。
【請求項５】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）を重力発電建物（１２）の柱管（１２Ｂ）角フランジ（１２Ｄ）に固定した各種エネルギ保存サイクル合体機関及び合体方法。
【請求項６】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）を重力発電建物（１２）の柱管（１２Ｂ）角フランジ（１２Ｄ）を角形として鉄骨骨組（１２Ａ）に固着した各種エネルギ保存サイクル合体機関及び合体方法。
【請求項７】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）を重力発電建物（１２）の柱管（１２Ｂ）角フランジ（１２Ｄ）を角形として鉄骨骨組（１２Ａ）にボルト締めした各種エネルギ保存サイクル合体機関及び合体方法。
【請求項８】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）の重力発電建物（１２）の柱管（１２Ｂ）角フランジ（１２Ｄ）を角形として鉄骨骨組（１２Ａ）上下で固着した各種エネルギ保存サイクル合体機関及び合体方法。
【請求項９】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）の重力発電建物（１２）の柱管（１２Ｂ）角フランジ（１２Ｄ）を角形として鉄骨骨組（１２Ａ）上下でボルト締めした各種エネルギ保存サイクル合体機関及び合体方法。
【請求項１０】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）の重力発電建物（１２）の柱管（１２Ｂ）角フランジ（１２Ｄ）を角形として鉄骨骨組（１２Ａ）上下のボルト締めで階数を増大する各種エネルギ保存サイクル合体機関及び合体方法。
【請求項１１】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）の重力発電建物（１２）の柱管（１２Ｂ）角フランジ（１２Ｄ）を角形として鉄骨骨組（１２Ａ）上下のボルト締めで階数を１階以上とした各種エネルギ保存サイクル合体機関及び合体方法。
【請求項１２】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）の重力発電建物（１２）の柱管（１２Ｂ）角フランジ（１２Ｄ）を角形として鉄骨骨組（１２Ａ）上下のボルト締めで階数を２０階以下とした各種エネルギ保存サイクル合体機関及び合体方法。
【請求項１３】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）の重力発電建物（１２）の柱管（１２Ｂ）角フランジ（１２Ｄ）を角形として鉄骨骨組（１２Ａ）上下のボルト締めで階数を１５階以下とした各種エネルギ保存サイクル合体機関及び合体方法。
【請求項１４】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）の重力発電建物（１２）の柱管（１２Ｂ）角フランジ（１２Ｄ）を角形として鉄骨骨組（１２Ａ）上下のボルト締めで階数を１０階以下とした各種エネルギ保存サイクル合体機関及び合体方法。
【請求項１５】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）の重力発電建物（１２）の柱管（１２Ｂ）角フランジ（１２Ｄ）を角形として鉄骨骨組（１２Ａ）上下のボルト締めで階数を８階以下とした各種エネルギ保存サイクル合体機関及び合体方法。
【請求項１６】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）の重力発電建物（１２）の柱管（１２Ｂ）角フランジ（１２Ｄ）を角形として鉄骨骨組（１２Ａ）上下のボルト締めで階数を６階以下とした各種エネルギ保存サイクル合体機関及び合体方法。
【請求項１７】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）＋柱管（１２Ｂ）で超臨界圧力水蒸気（５Ｈ）を最上部に上昇使用する各種エネルギ保存サイクル合体機関及び合体方法。
【請求項１８】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）＋柱管（１２Ｂ）で超臨界圧力水蒸気（５Ｈ）を最上部に上昇超臨界圧力水蒸気（５Ｈ）膨張速度＋真空度上昇中の重力加速度加速で噴射する各種エネルギ保存サイクル合体機関及び合体方法。
【請求項１９】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）＋柱管（１２Ｂ）で超臨界圧力水蒸気（５Ｈ）を最上部に上昇超臨界圧力水蒸気（５Ｈ）膨張速度＋真空度上昇中の重力加速度加速マッハ３以上で噴射する各種エネルギ保存サイクル合体機関及び合体方法。
【請求項２０】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）＋柱管（１２Ｂ）で超臨界圧力水蒸気（５Ｈ）を最上部に上昇超臨界圧力水蒸気（５Ｈ）膨張速度＋真空度上昇中の重力加速度加速マッハ３以下で噴射する各種エネルギ保存サイクル合体機関及び合体方法。
【請求項２１】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）＋柱管（１２Ｂ）で超臨界圧力水蒸気（５Ｈ）を最上部に上昇超臨界圧力水蒸気（５Ｈ）膨張速度＋真空度上昇中の重力加速度加速マッハ１以上で噴射する各種エネルギ保存サイクル合体機関及び合体方法。
【請求項２２】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）＋柱管（１２Ｂ）で超臨界圧力水蒸気（５Ｈ）を最上部に上昇超臨界圧力水蒸気（５Ｈ）膨張速度＋真空度上昇中の重力加速度加速マッハ１以下で噴射する各種エネルギ保存サイクル合体機関及び合体方法。
【請求項２３】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）＋柱管（１２Ｂ）で超臨界圧力水蒸気（５Ｈ）を最上部に上昇超臨界圧力水蒸気（５Ｈ）膨張速度＋真空度上昇中の重力加速度加速で噴射真空中重力加速度加速する各種エネルギ保存サイクル合体機関及び合体方法。
【請求項２４】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）＋柱管（１２Ｂ）で超臨界圧力水蒸気（５Ｈ）を最上部に上昇超臨界圧力水蒸気（５Ｈ）膨張速度＋真空度上昇中の重力加速度加速マッハ３以上で噴射真空中重力加速度加速する各種エネルギ保存サイクル合体機関及び合体方法。
【請求項２５】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）＋柱管（１２Ｂ）で超臨界圧力水蒸気（５Ｈ）を最上部に上昇超臨界圧力水蒸気（５Ｈ）膨張速度＋真空度上昇中の重力加速度加速マッハ３以下で噴射真空中重力加速度加速する各種エネルギ保存サイクル合体機関及び合体方法。
【請求項２６】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）＋柱管（１２Ｂ）で超臨界圧力水蒸気（５Ｈ）を最上部に上昇超臨界圧力水蒸気（５Ｈ）膨張速度＋真空度上昇中の重力加速度加速マッハ１以上で噴射真空中重力加速度加速する各種エネルギ保存サイクル合体機関及び合体方法。
【請求項２７】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）＋柱管（１２Ｂ）で超臨界圧力水蒸気（５Ｈ）を最上部に上昇超臨界圧力水蒸気（５Ｈ）膨張速度＋真空度上昇中の重力加速度加速マッハ１以下で噴射真空中重力加速度加速する各種エネルギ保存サイクル合体機関及び合体方法。
【請求項２８】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）＋柱管（１２Ｂ）で超臨界圧力水蒸気（５Ｈ）を最上部に上昇超臨界圧力水蒸気（５Ｈ）膨張速度＋真空度上昇中の重力加速度加速で噴射真空中重力加速度加速円筒外側動翼群（６０Ｄ）円筒内側動翼群（６０Ｃ）に噴射する各種エネルギ保存サイクル合体機関及び合体方法。
【請求項２９】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）＋柱管（１２Ｂ）で超臨界圧力水蒸気（５Ｈ）を最上部に上昇超臨界圧力水蒸気（５Ｈ）膨張速度＋真空度上昇中の重力加速度加速マッハ３以上で噴射真空中重力加速度加速円筒外側動翼群（６０Ｄ）円筒内側動翼群（６０Ｃ）に噴射する各種エネルギ保存サイクル合体機関及び合体方法。
【請求項３０】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）＋柱管（１２Ｂ）で超臨界圧力水蒸気（５Ｈ）を最上部に上昇超臨界圧力水蒸気（５Ｈ）膨張速度＋真空度上昇中の重力加速度加速マッハ３以下で噴射真空中重力加速度加速円筒外側動翼群（６０Ｄ）円筒内側動翼群（６０Ｃ）に噴射する各種エネルギ保存サイクル合体機関及び合体方法。
【請求項３１】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）＋柱管（１２Ｂ）で超臨界圧力水蒸気（５Ｈ）を最上部に上昇超臨界圧力水蒸気（５Ｈ）膨張速度＋真空度上昇中の重力加速度加速マッハ１以上で噴射真空中重力加速度加速円筒外側動翼群（６０Ｄ）円筒内側動翼群（６０Ｃ）に噴射する各種エネルギ保存サイクル合体機関及び合体方法。
【請求項３２】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）＋柱管（１２Ｂ）で超臨界圧力水蒸気（５Ｈ）を最上部に上昇超臨界圧力水蒸気（５Ｈ）膨張速度＋真空度上昇中の重力加速度加速マッハ１以下で噴射真空中重力加速度加速円筒外側動翼群（６０Ｄ）円筒内側動翼群（６０Ｃ）に噴射する各種エネルギ保存サイクル合体機関及び合体方法。
【請求項３３】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）＋柱管（１２Ｂ）で超臨界圧力水蒸気（５Ｈ）を最上部に上昇超臨界圧力水蒸気（５Ｈ）膨張速度＋真空度上昇中の重力加速度加速で噴射真空中重力加速度加速円筒外側動翼群（６０Ｄ）円筒内側動翼群（６０Ｃ）に噴射夫々を二重反転駆動する各種エネルギ保存サイクル合体機関及び合体方法。
【請求項３４】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）＋柱管（１２Ｂ）で超臨界圧力水蒸気（５Ｈ）を最上部に上昇超臨界圧力水蒸気（５Ｈ）膨張速度＋真空度上昇中の重力加速度加速マッハ３以上で噴射真空中重力加速度加速円筒外側動翼群（６０Ｄ）円筒内側動翼群（６０Ｃ）に噴射夫々を二重反転駆動する各種エネルギ保存サイクル合体機関及び合体方法。
【請求項３５】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）＋柱管（１２Ｂ）で超臨界圧力水蒸気（５Ｈ）を最上部に上昇超臨界圧力水蒸気（５Ｈ）膨張速度＋真空度上昇中の重力加速度加速マッハ３以下で噴射真空中重力加速度加速円筒外側動翼群（６０Ｄ）円筒内側動翼群（６０Ｃ）に噴射夫々を二重反転駆動する各種エネルギ保存サイクル合体機関及び合体方法。
【請求項３６】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）＋柱管（１２Ｂ）で超臨界圧力水蒸気（５Ｈ）を最上部に上昇超臨界圧力水蒸気（５Ｈ）膨張速度＋真空度上昇中の重力加速度加速マッハ１以上で噴射真空中重力加速度加速円筒外側動翼群（６０Ｄ）円筒内側動翼群（６０Ｃ）に噴射夫々を二重反転駆動する各種エネルギ保存サイクル合体機関及び合体方法。
【請求項３７】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）＋柱管（１２Ｂ）で超臨界圧力水蒸気（５Ｈ）を最上部に上昇超臨界圧力水蒸気（５Ｈ）膨張速度＋真空度上昇中の重力加速度加速マッハ１以下で噴射真空中重力加速度加速円筒外側動翼群（６０Ｄ）円筒内側動翼群（６０Ｃ）に噴射夫々を二重反転駆動する各種エネルギ保存サイクル合体機関及び合体方法。
【請求項３８】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）＋柱管（１２Ｂ）で超臨界圧力水蒸気（５Ｈ）を最上部に上昇超臨界圧力水蒸気（５Ｈ）膨張速度＋真空度上昇中の重力加速度加速で噴射真空中重力加速度加速円筒外側動翼群（６０Ｄ）円筒内側動翼群（６０Ｃ）に噴射夫々を二重反転駆動して発電する各種エネルギ保存サイクル合体機関及び合体方法。
【請求項３９】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）＋柱管（１２Ｂ）で超臨界圧力水蒸気（５Ｈ）を最上部に上昇超臨界圧力水蒸気（５Ｈ）膨張速度＋真空度上昇中の重力加速度加速マッハ３以上で噴射真空中重力加速度加速円筒外側動翼群（６０Ｄ）円筒内側動翼群（６０Ｃ）に噴射夫々を二重反転駆動して発電する各種エネルギ保存サイクル合体機関及び合体方法。
【請求項４０】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）＋柱管（１２Ｂ）で超臨界圧力水蒸気（５Ｈ）を最上部に上昇超臨界圧力水蒸気（５Ｈ）膨張速度＋真空度上昇中の重力加速度加速マッハ３以下で噴射真空中重力加速度加速円筒外側動翼群（６０Ｄ）円筒内側動翼群（６０Ｃ）に噴射夫々を二重反転駆動して発電する各種エネルギ保存サイクル合体機関及び合体方法。
【請求項４１】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）＋柱管（１２Ｂ）で超臨界圧力水蒸気（５Ｈ）を最上部に上昇超臨界圧力水蒸気（５Ｈ）膨張速度＋真空度上昇中の重力加速度加速マッハ１以上で噴射真空中重力加速度加速円筒外側動翼群（６０Ｄ）円筒内側動翼群（６０Ｃ）に噴射夫々を二重反転駆動して発電する各種エネルギ保存サイクル合体機関及び合体方法。
【請求項４２】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電として、超臨界圧力水蒸気管（５Ｈ）＋柱管（１２Ｂ）で超臨界圧力水蒸気（５Ｈ）を最上部に上昇超臨界圧力水蒸気（５Ｈ）膨張速度＋真空度上昇中の重力加速度加速マッハ１以下で噴射真空中重力加速度加速円筒外側動翼群（６０Ｄ）円筒内側動翼群（６０Ｃ）に噴射夫々を二重反転駆動して発電する各種エネルギ保存サイクル合体機関及び合体方法。
【請求項４３】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電外側軸装置（６０Ｂ）兼円筒外側動翼群（６０Ｄ）や内側軸装置（６０Ａ）兼円筒内側動翼群（６０Ｃ）夫々の両端に軸受（１２Ｃ）具備した各種エネルギ保存サイクル合体機関及び合体方法。
【請求項４４】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電外側軸装置（６０Ｂ）兼円筒外側動翼群（６０Ｄ）や内側軸装置（６０Ａ）兼円筒内側動翼群（６０Ｃ）夫々の両端に軸受（１２Ｃ）具備夫々別々に仮組立工作機械で両端支持加工を可能にした各種エネルギ保存サイクル合体機関及び合体方法。
【請求項４５】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電外側軸装置（６０Ｂ）兼円筒外側動翼群（６０Ｄ）や内側軸装置（６０Ａ）兼円筒内側動翼群（６０Ｃ）夫々の両端に軸受（１２Ｃ）具備夫々別々に仮組立工作機械で両端支持加工超高速バランス調整加工する各種エネルギ保存サイクル合体機関及び合体方法。
【請求項４６】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電外側軸装置（６０Ｂ）兼円筒外側動翼群（６０Ｄ）や内側軸装置（６０Ａ）兼円筒内側動翼群（６０Ｃ）夫々の両端に軸受（１２Ｃ）具備夫々別々に仮組立工作機械で両端支持加工超高速バランス調整超精密加工にする各種エネルギ保存サイクル合体機関及び合体方法。
【請求項４７】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電外側軸装置（６０Ｂ）兼円筒外側動翼群（６０Ｄ）や内側軸装置（６０Ａ）兼円筒内側動翼群（６０Ｃ）夫々の両端に軸受（１２Ｃ）具備夫々別々に仮組立工作機械で両端支持加工超高速バランス調整超精密加工後に本組立にする各種エネルギ保存サイクル合体機関及び合体方法。
【請求項４８】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気駆動の液体酸素製造機（８９Ａ）外側軸装置（６０Ｂ）兼水冷却圧縮翼の外側二重反転圧縮翼（８ｒ）や内側軸装置（６０Ａ）兼水冷却圧縮翼の内側二重反転圧縮翼（８ｑ）夫々の両端に軸受（１２Ｃ）具備した各種エネルギ保存サイクル合体機関及び合体方法。
【請求項４９】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気駆動の液体酸素製造機（８９Ａ）外側軸装置（６０Ｂ）兼水冷却圧縮翼の外側二重反転圧縮翼（８ｒ）や内側軸装置（６０Ａ）兼水冷却圧縮翼の内側二重反転圧縮翼（８ｑ）夫々の両端に軸受（１２Ｃ）具備夫々別々に仮組立工作機械で両端支持加工を可能にした各種エネルギ保存サイクル合体機関及び合体方法。
【請求項５０】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気駆動の液体酸素製造機（８９Ａ）外側軸装置（６０Ｂ）兼水冷却圧縮翼の外側二重反転圧縮翼（８ｒ）や内側軸装置（６０Ａ）兼水冷却圧縮翼の内側二重反転圧縮翼（８ｑ）夫々の両端に軸受（１２Ｃ）具備夫々別々に仮組立工作機械で両端支持加工超高速バランス調整加工する各種エネルギ保存サイクル合体機関及び合体方法。
【請求項５１】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気駆動の液体酸素製造機（８９Ａ）外側軸装置（６０Ｂ）兼水冷却圧縮翼の外側二重反転圧縮翼（８ｒ）や内側軸装置（６０Ａ）兼水冷却圧縮翼の内側二重反転圧縮翼（８ｑ）夫々の両端に軸受（１２Ｃ）具備夫々別々に仮組立工作機械で両端支持加工超高速バランス調整超精密加工にする各種エネルギ保存サイクル合体機関及び合体方法。
【請求項５２】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気駆動の液体酸素製造機（８９Ａ）外側軸装置（６０Ｂ）兼水冷却圧縮翼の外側二重反転圧縮翼（８ｒ）や内側軸装置（６０Ａ）兼水冷却圧縮翼の内側二重反転圧縮翼（８ｑ）夫々の両端に軸受（１２Ｃ）具備夫々別々に仮組立工作機械で両端支持加工超高速バランス調整超精密加工後に本組立にする各種エネルギ保存サイクル合体機関及び合体方法。
【請求項５３】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気駆動の液体酸素製造機（８９Ａ）外側軸装置（６０Ｂ）兼外側二重反転出力翼（８ｔ）や内側軸装置（６０Ａ）兼内側二重反転出力翼（８ｓ）夫々の両端に軸受（１２Ｃ）具備した各種エネルギ保存サイクル合体機関及び合体方法。
【請求項５４】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気駆動の液体酸素製造機（８９Ａ）外側軸装置（６０Ｂ）兼外側二重反転出力翼（８ｔ）や内側軸装置（６０Ａ）兼内側二重反転出力翼（８ｓ）夫々の両端に軸受（１２Ｃ）具備夫々別々に仮組立工作機械で両端支持加工を可能にした各種エネルギ保存サイクル合体機関及び合体方法。
【請求項５５】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気駆動の液体酸素製造機（８９Ａ）外側軸装置（６０Ｂ）兼外側二重反転出力翼（８ｔ）や内側軸装置（６０Ａ）兼内側二重反転出力翼（８ｓ）夫々の両端に軸受（１２Ｃ）具備夫々別々に仮組立工作機械で両端支持加工超高速バランス調整加工する各種エネルギ保存サイクル合体機関及び合体方法。
【請求項５６】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気駆動の液体酸素製造機（８９Ａ）外側軸装置（６０Ｂ）兼外側二重反転出力翼（８ｔ）や内側軸装置（６０Ａ）兼内側二重反転出力翼（８ｓ）夫々の両端に軸受（１２Ｃ）具備夫々別々に仮組立工作機械で両端支持加工超高速バランス調整超精密加工にする各種エネルギ保存サイクル合体機関及び合体方法。
【請求項５７】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気駆動の液体酸素製造機（８９Ａ）外側軸装置（６０Ｂ）兼外側二重反転出力翼（８ｔ）や内側軸装置（６０Ａ）兼内側二重反転出力翼（８ｓ）夫々の両端に軸受（１２Ｃ）具備夫々別々に仮組立工作機械で両端支持加工超高速バランス調整超精密加工後に本組立にする各種エネルギ保存サイクル合体機関及び合体方法。
【請求項５８】
各種連結駆動する簡単多段圧縮機（８９Ｂ）外側軸装置（６０Ｂ）兼水冷却圧縮翼の外側二重反転圧縮翼（８ｒ）や内側軸装置（６０Ａ）兼水冷却圧縮翼の内側二重反転圧縮翼（８ｑ）夫々の両端に軸受（１２Ｃ）具備した液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含有した各種エネルギ保存サイクル合体機関及び合体方法。
【請求項５９】
各種連結駆動する簡単多段圧縮機（８９Ｂ）外側軸装置（６０Ｂ）兼水冷却圧縮翼の外側二重反転圧縮翼（８ｒ）や内側軸装置（６０Ａ）兼水冷却圧縮翼の内側二重反転圧縮翼（８ｑ）夫々の両端に軸受（１２Ｃ）具備夫々別々に仮組立工作機械で両端支持加工を可能にした液体酸素製造機（８９Ａ）＋逆浸透水（５２Ｄ）駆動逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含有した各種エネルギ保存サイクル合体機関及び合体方法。
【請求項６０】
各種連結駆動する簡単多段圧縮機（８９Ｂ）外側軸装置（６０Ｂ）兼水冷却圧縮翼の外側二重反転圧縮翼（８ｒ）や内側軸装置（６０Ａ）兼水冷却圧縮翼の内側二重反転圧縮翼（８ｑ）夫々の両端に軸受（１２Ｃ）具備夫々別々に仮組立工作機械で両端支持加工超高速バランス調整加工して、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項６１】
各種連結駆動する簡単多段圧縮機（８９Ｂ）外側軸装置（６０Ｂ）兼水冷却圧縮翼の外側二重反転圧縮翼（８ｒ）や内側軸装置（６０Ａ）兼水冷却圧縮翼の内側二重反転圧縮翼（８ｑ）夫々の両端に軸受（１２Ｃ）具備夫々別々に仮組立工作機械で両端支持加工超高速バランス調整超精密加工にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項６２】
各種連結駆動する簡単多段圧縮機（８９Ｂ）外側軸装置（６０Ｂ）兼水冷却圧縮翼の外側二重反転圧縮翼（８ｒ）や内側軸装置（６０Ａ）兼水冷却圧縮翼の内側二重反転圧縮翼（８ｑ）夫々の両端に軸受（１２Ｃ）具備夫々別々に仮組立工作機械で両端支持加工超高速バランス調整超精密加工後に本組立にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項６３】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含む圧縮翼用研削盤（１０Ｄ）製造の簡単ガス機関（８９Ｃ）外側軸装置（６０Ｂ）兼水冷却圧縮翼の外側二重反転圧縮翼（８ｒ）や内側軸装置（６０Ａ）兼水冷却圧縮翼の内側二重反転圧縮翼（８ｑ）夫々の両端に軸受（１２Ｃ）具備した各種エネルギ保存サイクル合体機関及び合体方法。
【請求項６４】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含む圧縮翼用研削盤（１０Ｄ）製造の簡単ガス機関（８９Ｃ）外側軸装置（６０Ｂ）兼水冷却圧縮翼の外側二重反転圧縮翼（８ｒ）や内側軸装置（６０Ａ）兼水冷却圧縮翼の内側二重反転圧縮翼（８ｑ）夫々の両端に軸受（１２Ｃ）具備夫々別々に仮組立工作機械で両端支持加工を可能にした各種エネルギ保存サイクル合体機関及び合体方法。
【請求項６５】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含む圧縮翼用研削盤（１０Ｄ）製造の簡単ガス機関（８９Ｃ）外側軸装置（６０Ｂ）兼水冷却圧縮翼の外側二重反転圧縮翼（８ｒ）や内側軸装置（６０Ａ）兼水冷却圧縮翼の内側二重反転圧縮翼（８ｑ）夫々の両端に軸受（１２Ｃ）具備夫々別々に仮組立工作機械で両端支持加工超高速バランス調整加工する各種エネルギ保存サイクル合体機関及び合体方法。
【請求項６６】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含む圧縮翼用研削盤（１０Ｄ）製造の簡単ガス機関（８９Ｃ）外側軸装置（６０Ｂ）兼水冷却圧縮翼の外側二重反転圧縮翼（８ｒ）や内側軸装置（６０Ａ）兼水冷却圧縮翼の内側二重反転圧縮翼（８ｑ）夫々の両端に軸受（１２Ｃ）具備夫々別々に仮組立工作機械で両端支持加工超高速バランス調整超精密加工にする各種エネルギ保存サイクル合体機関及び合体方法。
【請求項６７】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含む圧縮翼用研削盤（１０Ｄ）製造の簡単ガス機関（８９Ｃ）外側軸装置（６０Ｂ）兼水冷却圧縮翼の外側二重反転圧縮翼（８ｒ）や内側軸装置（６０Ａ）兼水冷却圧縮翼の内側二重反転圧縮翼（８ｑ）夫々の両端に軸受（１２Ｃ）具備夫々別々に仮組立工作機械で両端支持加工超高速バランス調整超精密加工後に本組立にする各種エネルギ保存サイクル合体機関及び合体方法。
【請求項６８】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含む圧縮翼用研削盤（１０Ｄ）製造の簡単ガス機関（８９Ｃ）外側軸装置（６０Ｂ）兼外側二重反転出力翼（８ｔ）や内側軸装置（６０Ａ）兼内側二重反転出力翼（８ｓ）夫々の両端に軸受（１２Ｃ）具備した各種エネルギ保存サイクル合体機関及び合体方法。
【請求項６９】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含む圧縮翼用研削盤（１０Ｄ）製造の簡単ガス機関（８９Ｃ）外側軸装置（６０Ｂ）兼外側二重反転出力翼（８ｔ）や内側軸装置（６０Ａ）兼内側二重反転出力翼（８ｓ）夫々の両端に軸受（１２Ｃ）具備夫々別々に仮組立工作機械で両端支持加工を可能にした各種エネルギ保存サイクル合体機関及び合体方法。
【請求項７０】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含む圧縮翼用研削盤（１０Ｄ）製造の簡単ガス機関（８９Ｃ）外側軸装置（６０Ｂ）兼外側二重反転出力翼（８ｔ）や内側軸装置（６０Ａ）兼内側二重反転出力翼（８ｓ）夫々の両端に軸受（１２Ｃ）具備夫々別々に仮組立工作機械で両端支持加工超高速バランス調整加工する各種エネルギ保存サイクル合体機関及び合体方法。
【請求項７１】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含む圧縮翼用研削盤（１０Ｄ）製造の簡単ガス機関（８９Ｃ）外側軸装置（６０Ｂ）兼外側二重反転出力翼（８ｔ）や内側軸装置（６０Ａ）兼内側二重反転出力翼（８ｓ）夫々の両端に軸受（１２Ｃ）具備夫々別々に仮組立工作機械で両端支持加工超高速バランス調整超精密加工にする各種エネルギ保存サイクル合体機関及び合体方法。
【請求項７２】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含む圧縮翼用研削盤（１０Ｄ）製造の簡単ガス機関（８９Ｃ）外側軸装置（６０Ｂ）兼外側二重反転出力翼（８ｔ）や内側軸装置（６０Ａ）兼内側二重反転出力翼（８ｓ）夫々の両端に軸受（１２Ｃ）具備夫々別々に仮組立工作機械で両端支持加工超高速バランス調整超精密加工後に本組立にする各種エネルギ保存サイクル合体機関及び合体方法。
【請求項７３】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含む圧縮翼用研削盤（１０Ｄ）製造の簡単空気噴射機関（８９Ｄ）外側軸装置（６０Ｂ）兼水冷却圧縮翼の外側二重反転圧縮翼（８ｒ）や内側軸装置（６０Ａ）兼水冷却圧縮翼の内側二重反転圧縮翼（８ｑ）夫々の両端に軸受（１２Ｃ）具備した各種エネルギ保存サイクル合体機関及び合体方法。
【請求項７４】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含む圧縮翼用研削盤（１０Ｄ）製造の簡単空気噴射機関（８９Ｄ）外側軸装置（６０Ｂ）兼水冷却圧縮翼の外側二重反転圧縮翼（８ｒ）や内側軸装置（６０Ａ）兼水冷却圧縮翼の内側二重反転圧縮翼（８ｑ）夫々の両端に軸受（１２Ｃ）具備夫々別々に仮組立工作機械で両端支持加工を可能にした各種エネルギ保存サイクル合体機関及び合体方法。
【請求項７５】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含む圧縮翼用研削盤（１０Ｄ）製造の簡単空気噴射機関（８９Ｄ）外側軸装置（６０Ｂ）兼水冷却圧縮翼の外側二重反転圧縮翼（８ｒ）や内側軸装置（６０Ａ）兼水冷却圧縮翼の内側二重反転圧縮翼（８ｑ）夫々の両端に軸受（１２Ｃ）具備夫々別々に仮組立工作機械で両端支持加工超高速バランス調整加工する各種エネルギ保存サイクル合体機関及び合体方法。
【請求項７６】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含む圧縮翼用研削盤（１０Ｄ）製造の簡単空気噴射機関（８９Ｄ）外側軸装置（６０Ｂ）兼水冷却圧縮翼の外側二重反転圧縮翼（８ｒ）や内側軸装置（６０Ａ）兼水冷却圧縮翼の内側二重反転圧縮翼（８ｑ）夫々の両端に軸受（１２Ｃ）具備夫々別々に仮組立工作機械で両端支持加工超高速バランス調整超精密加工にする各種エネルギ保存サイクル合体機関及び合体方法。
【請求項７７】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含む圧縮翼用研削盤（１０Ｄ）製造の簡単空気噴射機関（８９Ｄ）外側軸装置（６０Ｂ）兼水冷却圧縮翼の外側二重反転圧縮翼（８ｒ）や内側軸装置（６０Ａ）兼水冷却圧縮翼の内側二重反転圧縮翼（８ｑ）夫々の両端に軸受（１２Ｃ）具備夫々別々に仮組立工作機械で両端支持加工超高速バランス調整超精密加工後に本組立にする各種エネルギ保存サイクル合体機関及び合体方法。
【請求項７８】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含む圧縮翼用研削盤（１０Ｄ）製造の簡単空気噴射機関（８９Ｄ）外側軸装置（６０Ｂ）兼外側二重反転出力翼（８ｔ）や内側軸装置（６０Ａ）兼内側二重反転出力翼（８ｓ）夫々の両端に軸受（１２Ｃ）具備した各種エネルギ保存サイクル合体機関及び合体方法。
【請求項７９】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含む圧縮翼用研削盤（１０Ｄ）製造の簡単空気噴射機関（８９Ｄ）外側軸装置（６０Ｂ）兼外側二重反転出力翼（８ｔ）や内側軸装置（６０Ａ）兼内側二重反転出力翼（８ｓ）夫々の両端に軸受（１２Ｃ）具備夫々別々に仮組立工作機械で両端支持加工を可能にした各種エネルギ保存サイクル合体機関及び合体方法。
【請求項８０】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含む圧縮翼用研削盤（１０Ｄ）製造の簡単空気噴射機関（８９Ｄ）外側軸装置（６０Ｂ）兼外側二重反転出力翼（８ｔ）や内側軸装置（６０Ａ）兼内側二重反転出力翼（８ｓ）夫々の両端に軸受（１２Ｃ）具備夫々別々に仮組立工作機械で両端支持加工超高速バランス調整加工する各種エネルギ保存サイクル合体機関及び合体方法。
【請求項８１】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含む圧縮翼用研削盤（１０Ｄ）製造の簡単空気噴射機関（８９Ｄ）外側軸装置（６０Ｂ）兼外側二重反転出力翼（８ｔ）や内側軸装置（６０Ａ）兼内側二重反転出力翼（８ｓ）夫々の両端に軸受（１２Ｃ）具備夫々別々に仮組立工作機械で両端支持加工超高速バランス調整超精密加工にする各種エネルギ保存サイクル合体機関及び合体方法。
【請求項８２】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含む圧縮翼用研削盤（１０Ｄ）製造の簡単空気噴射機関（８９Ｄ）外側軸装置（６０Ｂ）兼外側二重反転出力翼（８ｔ）や内側軸装置（６０Ａ）兼内側二重反転出力翼（８ｓ）夫々の両端に軸受（１２Ｃ）具備夫々別々に仮組立工作機械で両端支持加工超高速バランス調整超精密加工後に本組立にする各種エネルギ保存サイクル合体機関及び合体方法。
【請求項８３】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含む出力翼用研削盤（１０Ｅ）製造の簡単噴射機関（８９Ｅ）外側軸装置（６０Ｂ）兼水冷却圧縮翼の外側二重反転圧縮翼（８ｒ）や内側軸装置（６０Ａ）兼水冷却圧縮翼の内側二重反転圧縮翼（８ｑ）夫々の両端に軸受（１２Ｃ）具備した各種エネルギ保存サイクル合体機関及び合体方法。
【請求項８４】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含む出力翼用研削盤（１０Ｅ）製造の簡単噴射機関（８９Ｅ）外側軸装置（６０Ｂ）兼水冷却圧縮翼の外側二重反転圧縮翼（８ｒ）や内側軸装置（６０Ａ）兼水冷却圧縮翼の内側二重反転圧縮翼（８ｑ）夫々の両端に軸受（１２Ｃ）具備夫々別々に仮組立工作機械で両端支持加工を可能にした各種エネルギ保存サイクル合体機関及び合体方法。
【請求項８５】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含む出力翼用研削盤（１０Ｅ）製造の簡単噴射機関（８９Ｅ）外側軸装置（６０Ｂ）兼水冷却圧縮翼の外側二重反転圧縮翼（８ｒ）や内側軸装置（６０Ａ）兼水冷却圧縮翼の内側二重反転圧縮翼（８ｑ）夫々の両端に軸受（１２Ｃ）具備夫々別々に仮組立工作機械で両端支持加工超高速バランス調整加工する各種エネルギ保存サイクル合体機関及び合体方法。
【請求項８６】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含む出力翼用研削盤（１０Ｅ）製造の簡単噴射機関（８９Ｅ）外側軸装置（６０Ｂ）兼水冷却圧縮翼の外側二重反転圧縮翼（８ｒ）や内側軸装置（６０Ａ）兼水冷却圧縮翼の内側二重反転圧縮翼（８ｑ）夫々の両端に軸受（１２Ｃ）具備夫々別々に仮組立工作機械で両端支持加工超高速バランス調整超精密加工にする各種エネルギ保存サイクル合体機関及び合体方法。
【請求項８７】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含む出力翼用研削盤（１０Ｅ）製造の簡単噴射機関（８９Ｅ）外側軸装置（６０Ｂ）兼水冷却圧縮翼の外側二重反転圧縮翼（８ｒ）や内側軸装置（６０Ａ）兼水冷却圧縮翼の内側二重反転圧縮翼（８ｑ）夫々の両端に軸受（１２Ｃ）具備夫々別々に仮組立工作機械で両端支持加工超高速バランス調整超精密加工後に本組立にする各種エネルギ保存サイクル合体機関及び合体方法。
【請求項８８】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含む出力翼用研削盤（１０Ｅ）製造の簡単噴射機関（８９Ｅ）外側軸装置（６０Ｂ）兼外側二重反転出力翼（８ｔ）や内側軸装置（６０Ａ）兼内側二重反転出力翼（８ｓ）夫々の両端に軸受（１２Ｃ）具備した各種エネルギ保存サイクル合体機関及び合体方法。
【請求項８９】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含む出力翼用研削盤（１０Ｅ）製造の簡単噴射機関（８９Ｅ）外側軸装置（６０Ｂ）兼外側二重反転出力翼（８ｔ）や内側軸装置（６０Ａ）兼内側二重反転出力翼（８ｓ）夫々の両端に軸受（１２Ｃ）具備夫々別々に仮組立工作機械で両端支持加工を可能にした各種エネルギ保存サイクル合体機関及び合体方法。
【請求項９０】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含む出力翼用研削盤（１０Ｅ）製造の簡単噴射機関（８９Ｅ）外側軸装置（６０Ｂ）兼外側二重反転出力翼（８ｔ）や内側軸装置（６０Ａ）兼内側二重反転出力翼（８ｓ）夫々の両端に軸受（１２Ｃ）具備夫々別々に仮組立工作機械で両端支持加工超高速バランス調整加工する各種エネルギ保存サイクル合体機関及び合体方法。
【請求項９１】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含む出力翼用研削盤（１０Ｅ）製造の簡単噴射機関（８９Ｅ）外側軸装置（６０Ｂ）兼外側二重反転出力翼（８ｔ）や内側軸装置（６０Ａ）兼内側二重反転出力翼（８ｓ）夫々の両端に軸受（１２Ｃ）具備夫々別々に仮組立工作機械で両端支持加工超高速バランス調整超精密加工にする各種エネルギ保存サイクル合体機関及び合体方法。
【請求項９２】
液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）駆動を含む出力翼用研削盤（１０Ｅ）製造の簡単噴射機関（８９Ｅ）外側軸装置（６０Ｂ）兼外側二重反転出力翼（８ｔ）や内側軸装置（６０Ａ）兼内側二重反転出力翼（８ｓ）夫々の両端に軸受（１２Ｃ）具備夫々別々に仮組立工作機械で両端支持加工超高速バランス調整超精密加工後に本組立にする各種エネルギ保存サイクル合体機関及び合体方法。
【請求項９３】
既存の静翼を全廃して全動翼二重反転とした二重反転機関用旋盤（１０Ｃ）製造の簡単ガス機関（８９Ｃ）に圧縮空気熱交換器（２Ｙ）を具備して超臨界圧力水蒸気（５Ｈ）製造量を同一燃料量既存ボイラーの２０倍以上として回転出力や噴射推進出力を既存ガスタービンの２０倍以上にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項９４】
既存の静翼を全廃して全動翼二重反転とした二重反転機関用旋盤（１０Ｃ）製造の簡単ガス機関（８９Ｃ）に圧縮空気熱交換器（２Ｙ）を具備して超臨界圧力水蒸気（５Ｈ）製造量を同一燃料量既存ボイラーの４０倍以上として回転出力や噴射推進出力を既存ガスタービンの４０倍以上にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項９５】
既存の静翼を全廃して全動翼二重反転とした二重反転機関用旋盤（１０Ｃ）製造の簡単ガス機関（８９Ｃ）に圧縮空気熱交換器（２Ｙ）を具備して超臨界圧力水蒸気（５Ｈ）製造量を同一燃料量既存ボイラーの８倍以上として回転出力や噴射推進出力を既存ガスタービンの１６倍以上にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項９６】
既存の静翼を全廃して全動翼二重反転とした二重反転機関用旋盤（１０Ｃ）製造の簡単ガス機関（８９Ｃ）に圧縮空気熱交換器（２Ｙ）を具備して超臨界圧力水蒸気（５Ｈ）製造量を同一燃料量既存ボイラーの４０倍以上として回転出力を既存ガスタービンの８０倍以上にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項９７】
既存の静翼を全廃して全動翼二重反転とした二重反転機関用旋盤（１０Ｃ）製造の簡単ガス機関（８９Ｃ）に圧縮空気熱交換器（２Ｙ）を具備して超臨界圧力水蒸気（５Ｈ）製造量を同一燃料量既存ボイラーの８倍以上として回転出力を既存ガスタービンの１６倍以上にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項９８】
既存の静翼を全廃して全動翼二重反転とした二重反転機関用旋盤（１０Ｃ）製造の簡単ガス機関（８９Ｃ）に圧縮空気熱交換器（２Ｙ）を具備して超臨界圧力水蒸気（５Ｈ）製造量を同一燃料量既存ボイラーの４０倍以上として回転出力を既存ガスタービンの８０倍以上の簡単ガス機関自動車（８９Ｆ）にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項９９】
既存の静翼を全廃して全動翼二重反転とした二重反転機関用旋盤（１０Ｃ）製造の簡単ガス機関（８９Ｃ）に圧縮空気熱交換器（２Ｙ）を具備して超臨界圧力水蒸気（５Ｈ）製造量を同一燃料量既存ボイラーの８倍以上として回転出力を既存ガスタービンの１６倍以上の簡単ガス機関自動車（８９Ｆ）にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１００】
既存の静翼を全廃して全動翼二重反転とした二重反転機関用旋盤（１０Ｃ）製造の簡単ガス機関（８９Ｃ）に圧縮空気熱交換器（２Ｙ）を具備して超臨界圧力水蒸気（５Ｈ）製造量を同一燃料量既存ボイラーの４０倍以上として回転出力を既存ガスタービンの８０倍以上の自動車類にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１０１】
既存の静翼を全廃して全動翼二重反転とした二重反転機関用旋盤（１０Ｃ）製造の簡単ガス機関（８９Ｃ）に圧縮空気熱交換器（２Ｙ）を具備して超臨界圧力水蒸気（５Ｈ）製造量を同一燃料量既存ボイラーの８倍以上として回転出力を既存ガスタービンの１６倍以上の自動車類にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１０２】
既存の静翼を全廃して全動翼二重反転とした二重反転機関用旋盤（１０Ｃ）製造の簡単ガス機関（８９Ｃ）に圧縮空気熱交換器（２Ｙ）を具備して超臨界圧力水蒸気（５Ｈ）製造量を同一燃料量既存ボイラーの４０倍以上として回転出力を既存ガスタービンの８０倍以上の車両類にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１０３】
既存の静翼を全廃して全動翼二重反転とした二重反転機関用旋盤（１０Ｃ）製造の簡単ガス機関（８９Ｃ）に圧縮空気熱交換器（２Ｙ）を具備して超臨界圧力水蒸気（５Ｈ）製造量を同一燃料量既存ボイラーの８倍以上として回転出力を既存ガスタービンの１６倍以上の車両類にして、、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１０４】
既存の静翼を全廃して全動翼二重反転とした二重反転機関用旋盤（１０Ｃ）製造の簡単ガス機関（８９Ｃ）に圧縮空気熱交換器（２Ｙ）を具備して超臨界圧力水蒸気（５Ｈ）製造量を同一燃料量既存ボイラーの２０倍以上として回転出力や噴射推進出力を既存ガスタービンの２０倍以上の簡単ガス機関船舶（８９Ｇ）にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１０５】
既存の静翼を全廃して全動翼二重反転とした二重反転機関用旋盤（１０Ｃ）製造の簡単ガス機関（８９Ｃ）に圧縮空気熱交換器（２Ｙ）を具備して超臨界圧力水蒸気（５Ｈ）製造量を同一燃料量既存ボイラーの４０倍以上として回転出力や噴射推進出力を既存ガスタービンの４０倍以上の簡単ガス機関船舶（８９Ｇ）にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１０６】
既存の静翼を全廃して全動翼二重反転とした二重反転機関用旋盤（１０Ｃ）製造の簡単ガス機関（８９Ｃ）に圧縮空気熱交換器（２Ｙ）を具備して超臨界圧力水蒸気（５Ｈ）製造量を同一燃料量既存ボイラーの８倍以上として回転出力や噴射推進出力を既存ガスタービンの８倍以上の簡単ガス機関船舶（８９Ｇ）にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１０７】
既存の静翼を全廃して全動翼二重反転とした二重反転機関用旋盤（１０Ｃ）製造の簡単ガス機関（８９Ｃ）に圧縮空気熱交換器（２Ｙ）を具備して超臨界圧力水蒸気（５Ｈ）製造量を同一燃料量既存ボイラーの２０倍以上として回転出力や噴射推進出力を既存ガスタービンの２０倍以上の簡単ガス機関飛行機（８９Ｈ）にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１０８】
既存の静翼を全廃して全動翼二重反転とした二重反転機関用旋盤（１０Ｃ）製造の簡単ガス機関（８９Ｃ）に圧縮空気熱交換器（２Ｙ）を具備して超臨界圧力水蒸気（５Ｈ）製造量を同一燃料量既存ボイラーの４０倍以上として回転出力や噴射推進出力を既存ガスタービンの４０倍以上の簡単ガス機関飛行機（８９Ｈ）にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１０９】
既存の静翼を全廃して全動翼二重反転とした二重反転機関用旋盤（１０Ｃ）製造の簡単ガス機関（８９Ｃ）に圧縮空気熱交換器（２Ｙ）を具備して超臨界圧力水蒸気（５Ｈ）製造量を同一燃料量既存ボイラーの８倍以上として回転出力や噴射推進出力を既存ガスタービンの８倍以上の簡単ガス機関飛行機（８９Ｈ）にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１１０】
既存の静翼を全廃して全動翼二重反転とした二重反転機関用旋盤（１０Ｃ）製造の簡単ガス機関（８９Ｃ）に圧縮空気熱交換器（２Ｙ）を具備して超臨界圧力水蒸気（５Ｈ）製造量を同一燃料量既存ボイラーの２０倍以上として回転出力や噴射推進出力を既存ガスタービンの２０倍以上の回転翼飛行機（８９Ｋ）にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１１１】
既存の静翼を全廃して全動翼二重反転とした二重反転機関用旋盤（１０Ｃ）製造の簡単ガス機関（８９Ｃ）に圧縮空気熱交換器（２Ｙ）を具備して超臨界圧力水蒸気（５Ｈ）製造量を同一燃料量既存ボイラーの４０倍以上として回転出力や噴射推進出力を既存ガスタービンの４０倍以上の回転翼飛行機（８９Ｋ）にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１１２】
既存の静翼を全廃して全動翼二重反転とした二重反転機関用旋盤（１０Ｃ）製造の簡単ガス機関（８９Ｃ）に圧縮空気熱交換器（２Ｙ）を具備して超臨界圧力水蒸気（５Ｈ）製造量を同一燃料量既存ボイラーの８倍以上として回転出力や噴射推進出力を既存ガスタービンの８倍以上の回転翼飛行機（８９Ｋ）にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１１３】
既存の静翼を全廃して全動翼二重反転とした二重反転機関用旋盤（１０Ｃ）製造の簡単ガス機関（８９Ｃ）に圧縮空気熱交換器（２Ｙ）を具備して超臨界圧力水蒸気（５Ｈ）製造量を同一燃料量既存ボイラーの２０倍以上として回転出力や噴射推進出力を既存ガスタービンの２０倍以上の大型オスプレイ（８９Ｎ）にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１１４】
既存の静翼を全廃して全動翼二重反転とした二重反転機関用旋盤（１０Ｃ）製造の簡単ガス機関（８９Ｃ）に圧縮空気熱交換器（２Ｙ）を具備して超臨界圧力水蒸気（５Ｈ）製造量を同一燃料量既存ボイラーの４０倍以上として回転出力や噴射推進出力を既存ガスタービンの４０倍以上の大型オスプレイ（８９Ｎ）にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１１５】
既存の静翼を全廃して全動翼二重反転とした二重反転機関用旋盤（１０Ｃ）製造の簡単ガス機関（８９Ｃ）に圧縮空気熱交換器（２Ｙ）を具備して超臨界圧力水蒸気（５Ｈ）製造量を同一燃料量既存ボイラーの８倍以上として回転出力や噴射推進出力を既存ガスタービンの８倍以上の大型オスプレイ（８９Ｎ）にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１１６】
既存の静翼を全廃して全動翼二重反転とした二重反転機関用旋盤（１０Ｃ）製造の簡単噴射機関（８９Ｅ）に圧縮空気熱交換器（２Ｙ）を具備して超臨界圧力水蒸気（５Ｈ）製造量を同一燃料量既存ボイラーの２０倍以上として回転出力や噴射推進出力を既存ガスタービンの２０倍以上の簡単空気噴射機関船舶（８９Ｉ）にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１１７】
既存の静翼を全廃して全動翼二重反転とした二重反転機関用旋盤（１０Ｃ）製造の簡単噴射機関（８９Ｅ）に圧縮空気熱交換器（２Ｙ）を具備して超臨界圧力水蒸気（５Ｈ）製造量を同一燃料量既存ボイラーの４０倍以上として回転出力や噴射推進出力を既存ガスタービンの４０倍以上の簡単空気噴射機関船舶（８９Ｉ）にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１１８】
既存の静翼を全廃して全動翼二重反転とした二重反転機関用旋盤（１０Ｃ）製造の簡単噴射機関（８９Ｅ）に圧縮空気熱交換器（２Ｙ）を具備して超臨界圧力水蒸気（５Ｈ）製造量を同一燃料量既存ボイラーの８倍以上として回転出力や噴射推進出力を既存ガスタービンの８倍以上の簡単空気噴射機関船舶（８９Ｉ）にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１１９】
既存の静翼を全廃して全動翼二重反転とした二重反転機関用旋盤（１０Ｃ）製造の簡単噴射機関（８９Ｅ）に圧縮空気熱交換器（２Ｙ）を具備して超臨界圧力水蒸気（５Ｈ）製造量を同一燃料量既存ボイラーの２０倍以上として回転出力や噴射推進出力を既存ガスタービンの２０倍以上の簡単噴射機関飛行機（８９Ｊ）にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１２０】
既存の静翼を全廃して全動翼二重反転とした二重反転機関用旋盤（１０Ｃ）製造の簡単噴射機関（８９Ｅ）に圧縮空気熱交換器（２Ｙ）を具備して超臨界圧力水蒸気（５Ｈ）製造量を同一燃料量既存ボイラーの４０倍以上として回転出力や噴射推進出力を既存ガスタービンの４０倍以上の簡単噴射機関飛行機（８９Ｊ）にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１２１】
既存の静翼を全廃して全動翼二重反転とした二重反転機関用旋盤（１０Ｃ）製造の簡単噴射機関（８９Ｅ）に圧縮空気熱交換器（２Ｙ）を具備して超臨界圧力水蒸気（５Ｈ）製造量を同一燃料量既存ボイラーの８倍以上として回転出力や噴射推進出力を既存ガスタービンの８倍以上の簡単噴射機関飛行機（８９Ｊ）にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１２２】
既存の静翼を全廃して全動翼二重反転とした二重反転機関用旋盤（１０Ｃ）製造の簡単噴射機関（８９Ｅ）に圧縮空気熱交換器（２Ｙ）を具備して超臨界圧力水蒸気（５Ｈ）製造量を同一燃料量既存ボイラーの２０倍以上として回転出力や噴射推進出力を既存ガスタービンの２０倍以上の回転翼噴射飛行機（８９Ｌ）にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１２３】
既存の静翼を全廃して全動翼二重反転とした二重反転機関用旋盤（１０Ｃ）製造の簡単噴射機関（８９Ｅ）に圧縮空気熱交換器（２Ｙ）を具備して超臨界圧力水蒸気（５Ｈ）製造量を同一燃料量既存ボイラーの４０倍以上として回転出力や噴射推進出力を既存ガスタービンの４０倍以上の回転翼噴射飛行機（８９Ｌ）にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１２４】
既存の静翼を全廃して全動翼二重反転とした二重反転機関用旋盤（１０Ｃ）製造の簡単噴射機関（８９Ｅ）に圧縮空気熱交換器（２Ｙ）を具備して超臨界圧力水蒸気（５Ｈ）製造量を同一燃料量既存ボイラーの８倍以上として回転出力や噴射推進出力を既存ガスタービンの８倍以上の回転翼噴射飛行機（８９Ｌ）にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１２５】
既存の静翼を全廃して全動翼二重反転とした二重反転機関用旋盤（１０Ｃ）製造の簡単噴射機関（８９Ｅ）に圧縮空気熱交換器（２Ｙ）を具備して超臨界圧力水蒸気（５Ｈ）製造量を同一燃料量既存ボイラーの２０倍以上として回転出力や噴射推進出力を既存ガスタービンの２０倍以上の特大オスプレイ（８９Ｍ）にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１２６】
既存の静翼を全廃して全動翼二重反転とした二重反転機関用旋盤（１０Ｃ）製造の簡単噴射機関（８９Ｅ）に圧縮空気熱交換器（２Ｙ）を具備して超臨界圧力水蒸気（５Ｈ）製造量を同一燃料量既存ボイラーの４０倍以上として回転出力や噴射推進出力を既存ガスタービンの４０倍以上の特大オスプレイ（８９Ｍ）にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１２７】
既存の静翼を全廃して全動翼二重反転とした二重反転機関用旋盤（１０Ｃ）製造の簡単噴射機関（８９Ｅ）に圧縮空気熱交換器（２Ｙ）を具備して超臨界圧力水蒸気（５Ｈ）製造量を同一燃料量既存ボイラーの８倍以上として回転出力や噴射推進出力を既存ガスタービンの８倍以上の特大オスプレイ（８９Ｍ）にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１２８】
既存の静翼を全廃して全動翼二重反転とした二重反転機関用旋盤（１０Ｃ）製造の簡単空気噴射機関（８９Ｄ）に圧縮空気熱交換器（２Ｙ）を具備して超臨界圧力水蒸気（５Ｈ）製造量を同一燃料量既存ボイラーの２０倍以上として回転出力や噴射推進出力を既存ガスタービンの２０倍以上の簡単空気噴射機関船舶（８９Ｉ）にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１２９】
既存の静翼を全廃して全動翼二重反転とした二重反転機関用旋盤（１０Ｃ）製造の簡単空気噴射機関（８９Ｄ）に圧縮空気熱交換器（２Ｙ）を具備して超臨界圧力水蒸気（５Ｈ）製造量を同一燃料量既存ボイラーの４０倍以上として回転出力や噴射推進出力を既存ガスタービンの４０倍以上の簡単空気噴射機関船舶（８９Ｉ）にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１３０】
既存の静翼を全廃して全動翼二重反転とした二重反転機関用旋盤（１０Ｃ）製造の簡単空気噴射機関（８９Ｄ）に圧縮空気熱交換器（２Ｙ）を具備して超臨界圧力水蒸気（５Ｈ）製造量を同一燃料量既存ボイラーの８倍以上として回転出力や噴射推進出力を既存ガスタービンの８倍以上の簡単空気噴射機関船舶（８９Ｉ）にして、逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有した各種エネルギ保存サイクル合体機関及び合体方法。
【請求項１３１】
太陽光加熱器（２１）で加熱高温とした空気（２８ａ）を吸入圧縮する二重反転機関用旋盤（１０Ｃ）製造の簡単ガス機関（８９Ｃ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１３２】
太陽光加熱器（２１）で加熱高温とした空気（２８ａ）を吸入圧縮圧縮比５０にする二重反転機関用旋盤（１０Ｃ）製造の簡単ガス機関（８９Ｃ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１３３】
太陽光加熱器（２１）で加熱高温とした空気（２８ａ）を吸入圧縮圧縮比６０にする二重反転機関用旋盤（１０Ｃ）製造の簡単ガス機関（８９Ｃ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１３４】
太陽光加熱器（２１）で加熱高温とした空気（２８ａ）を吸入圧縮圧縮比７０にする二重反転機関用旋盤（１０Ｃ）製造の簡単ガス機関（８９Ｃ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１３５】
太陽光加熱器（２１）で加熱高温とした空気（２８ａ）を吸入圧縮圧縮比８０にする二重反転機関用旋盤（１０Ｃ）製造の簡単ガス機関（８９Ｃ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１３６】
太陽光加熱器（２１）で加熱高温とした空気（２８ａ）を吸入圧縮圧縮比９０にする二重反転機関用旋盤（１０Ｃ）製造の簡単ガス機関（８９Ｃ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１３７】
太陽光加熱器（２１）で加熱高温とした空気（２８ａ）を吸入圧縮圧縮比１００にする二重反転機関用旋盤（１０Ｃ）製造の簡単ガス機関（８９Ｃ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１３８】
太陽光加熱器（２１）で加熱高温とした空気（２８ａ）を吸入圧縮圧縮比５０にして圧縮空気熱交換器（２Ｙ）に噴射する二重反転機関用旋盤（１０Ｃ）製造の簡単ガス機関（８９Ｃ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１３９】
太陽光加熱器（２１）で加熱高温とした空気（２８ａ）を吸入圧縮圧縮比６０にして圧縮空気熱交換器（２Ｙ）に噴射する二重反転機関用旋盤（１０Ｃ）製造の簡単ガス機関（８９Ｃ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１４０】
太陽光加熱器（２１）で加熱高温とした空気（２８ａ）を吸入圧縮圧縮比７０にして圧縮空気熱交換器（２Ｙ）に噴射する二重反転機関用旋盤（１０Ｃ）製造の簡単ガス機関（８９Ｃ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１４１】
太陽光加熱器（２１）で加熱高温とした空気（２８ａ）を吸入圧縮圧縮比８０にして圧縮空気熱交換器（２Ｙ）に噴射する二重反転機関用旋盤（１０Ｃ）製造の簡単ガス機関（８９Ｃ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１４２】
太陽光加熱器（２１）で加熱高温とした空気（２８ａ）を吸入圧縮圧縮比９０にして圧縮空気熱交換器（２Ｙ）に噴射する二重反転機関用旋盤（１０Ｃ）製造の簡単ガス機関（８９Ｃ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１４３】
太陽光加熱器（２１）で加熱高温とした空気（２８ａ）を吸入圧縮圧縮比１００にして圧縮空気熱交換器（２Ｙ）に噴射する二重反転機関用旋盤（１０Ｃ）製造の簡単ガス機関（８９Ｃ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１４４】
太陽光加熱器（２１）で加熱高温とした空気（２８ａ）を吸入圧縮水噴射冷却圧縮で過熱蒸気用水加熱し、圧縮比５０にして圧縮空気熱交換器（２Ｙ）に噴射する二重反転機関用旋盤（１０Ｃ）製造の簡単ガス機関（８９Ｃ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１４５】
太陽光加熱器（２１）で加熱高温とした空気（２８ａ）を吸入圧縮水噴射冷却圧縮で過熱蒸気用水加熱し、圧縮比６０にして圧縮空気熱交換器（２Ｙ）に噴射する二重反転機関用旋盤（１０Ｃ）製造の簡単ガス機関（８９Ｃ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１４６】
太陽光加熱器（２１）で加熱高温とした空気（２８ａ）を吸入圧縮水噴射冷却圧縮で過熱蒸気用水加熱し、圧縮比７０にして圧縮空気熱交換器（２Ｙ）に噴射する二重反転機関用旋盤（１０Ｃ）製造の簡単ガス機関（８９Ｃ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１４７】
太陽光加熱器（２１）で加熱高温とした空気（２８ａ）を吸入圧縮水噴射冷却圧縮で過熱蒸気用水加熱し、圧縮比８０にして圧縮空気熱交換器（２Ｙ）に噴射する二重反転機関用旋盤（１０Ｃ）製造の簡単ガス機関（８９Ｃ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１４８】
太陽光加熱器（２１）で加熱高温とした空気（２８ａ）を吸入圧縮水噴射冷却圧縮で過熱蒸気用水加熱し、圧縮比９０にして圧縮空気熱交換器（２Ｙ）に噴射する二重反転機関用旋盤（１０Ｃ）製造の簡単ガス機関（８９Ｃ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１４９】
太陽光加熱器（２１）で加熱高温とした空気（２８ａ）を吸入圧縮水噴射冷却圧縮で過熱蒸気用水加熱し、圧縮比１００にして圧縮空気熱交換器（２Ｙ）に噴射する二重反転機関用旋盤（１０Ｃ）製造の簡単ガス機関（８９Ｃ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１５０】
太陽光加熱器（２１）で加熱高温とした空気（２８ａ）を吸入圧縮圧縮比５０にして圧縮空気熱交換器（２Ｙ）に噴射燃料噴射燃焼熱交換超臨界圧力水蒸気（５Ｈ）製造する二重反転機関用旋盤（１０Ｃ）製造の簡単ガス機関（８９Ｃ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１５１】
太陽光加熱器（２１）で加熱高温とした空気（２８ａ）を吸入圧縮圧縮比６０にして圧縮空気熱交換器（２Ｙ）に噴射燃料噴射燃焼熱交換超臨界圧力水蒸気（５Ｈ）製造する二重反転機関用旋盤（１０Ｃ）製造の簡単ガス機関（８９Ｃ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１５２】
太陽光加熱器（２１）で加熱高温とした空気（２８ａ）を吸入圧縮圧縮比７０にして圧縮空気熱交換器（２Ｙ）に噴射燃料噴射燃焼熱交換超臨界圧力水蒸気（５Ｈ）製造する二重反転機関用旋盤（１０Ｃ）製造の簡単ガス機関（８９Ｃ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１５３】
太陽光加熱器（２１）で加熱高温とした空気（２８ａ）を吸入圧縮圧縮比８０にして圧縮空気熱交換器（２Ｙ）に噴射燃料噴射燃焼熱交換超臨界圧力水蒸気（５Ｈ）製造する二重反転機関用旋盤（１０Ｃ）製造の簡単ガス機関（８９Ｃ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１５４】
太陽光加熱器（２１）で加熱高温とした空気（２８ａ）を吸入圧縮圧縮比９０にして圧縮空気熱交換器（２Ｙ）に噴射燃料噴射燃焼熱交換超臨界圧力水蒸気（５Ｈ）製造する二重反転機関用旋盤（１０Ｃ）製造の簡単ガス機関（８９Ｃ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１５５】
太陽光加熱器（２１）で加熱高温とした空気（２８ａ）を吸入圧縮圧縮比１００にして圧縮空気熱交換器（２Ｙ）に噴射燃料噴射燃焼熱交換超臨界圧力水蒸気（５Ｈ）製造する二重反転機関用旋盤（１０Ｃ）製造の簡単ガス機関（８９Ｃ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１５６】
太陽光加熱器（２１）で加熱高温とした空気（２８ａ）を吸入圧縮圧縮比５０にして圧縮空気熱交換器（２Ｙ）に噴射燃料噴射燃焼熱交換超臨界圧力水蒸気５Ｈを同一燃料量既存ボイラーの５０倍以上製造する二重反転機関用旋盤（１０Ｃ）製造の簡単ガス機関（８９Ｃ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１５７】
太陽光加熱器（２１）で加熱高温とした空気（２８ａ）を吸入圧縮圧縮比６０にして圧縮空気熱交換器（２Ｙ）に噴射燃料噴射燃焼熱交換超臨界圧力水蒸気５Ｈを同一燃料量既存ボイラーの６０倍以上製造製造する二重反転機関用旋盤（１０Ｃ）製造の簡単ガス機関（８９Ｃ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１５８】
太陽光加熱器（２１）で加熱高温とした空気（２８ａ）を吸入圧縮圧縮比７０にして圧縮空気熱交換器（２Ｙ）に噴射燃料噴射燃焼熱交換超臨界圧力水蒸気５Ｈを同一燃料量既存ボイラーの７０倍以上製造製造する二重反転機関用旋盤（１０Ｃ）製造の簡単ガス機関（８９Ｃ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１５９】
太陽光加熱器（２１）で加熱高温とした空気（２８ａ）を吸入圧縮圧縮比８０にして圧縮空気熱交換器（２Ｙ）に噴射燃料噴射燃焼熱交換超臨界圧力水蒸気５Ｈを同一燃料量既存ボイラーの８０倍以上製造製造する二重反転機関用旋盤（１０Ｃ）製造の簡単ガス機関（８９Ｃ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１６０】
太陽光加熱器（２１）で加熱高温とした空気（２８ａ）を吸入圧縮圧縮比９０にして圧縮空気熱交換器（２Ｙ）に噴射燃料噴射燃焼熱交換超臨界圧力水蒸気５Ｈを同一燃料量既存ボイラーの９０倍以上製造製造する二重反転機関用旋盤（１０Ｃ）製造の簡単ガス機関（８９Ｃ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１６１】
太陽光加熱器（２１）で加熱高温とした空気（２８ａ）を吸入圧縮圧縮比１００にして圧縮空気熱交換器（２Ｙ）に噴射燃料噴射燃焼熱交換超臨界圧力水蒸気５Ｈを同一燃料量既存ボイラーの１００倍以上製造製造する二重反転機関用旋盤（１０Ｃ）製造の簡単ガス機関（８９Ｃ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１６２】
太陽光加熱器（２１）で加熱高温とした空気（２８ａ）を吸入圧縮圧縮比５０以上にして圧縮空気熱交換器（２Ｙ）に噴射燃料噴射燃焼熱交換超臨界圧力水蒸気（５Ｈ）製造する圧縮翼用研削盤（１０Ｄ）製造の液体酸素製造機（８９Ａ）＋竪型全動翼蒸気水重力タービン（１１Ｚ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１６３】
太陽光加熱器（２１）で加熱高温とした空気（２８ａ）を吸入圧縮圧縮比６０以上にして圧縮空気熱交換器（２Ｙ）に噴射燃料噴射燃焼熱交換超臨界圧力水蒸気（５Ｈ）製造する圧縮翼用研削盤（１０Ｄ）製造の液体酸素製造機（８９Ａ）＋竪型全動翼蒸気水重力タービン（１１Ｚ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１６４】
太陽光加熱器（２１）で加熱高温とした空気（２８ａ）を吸入圧縮圧縮比７０以上にして圧縮空気熱交換器（２Ｙ）に噴射燃料噴射燃焼熱交換超臨界圧力水蒸気（５Ｈ）製造する圧縮翼用研削盤（１０Ｄ）製造の液体酸素製造機（８９Ａ）＋竪型全動翼蒸気水重力タービン（１１Ｚ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１６５】
太陽光加熱器（２１）で加熱高温とした空気（２８ａ）を吸入圧縮圧縮比８０以上にして圧縮空気熱交換器（２Ｙ）に噴射燃料噴射燃焼熱交換超臨界圧力水蒸気（５Ｈ）製造する圧縮翼用研削盤（１０Ｄ）製造の液体酸素製造機（８９Ａ）＋竪型全動翼蒸気水重力タービン（１１Ｚ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１６６】
太陽光加熱器（２１）で加熱高温とした空気（２８ａ）を吸入圧縮圧縮比９０以上にして圧縮空気熱交換器（２Ｙ）に噴射燃料噴射燃焼熱交換超臨界圧力水蒸気（５Ｈ）製造する圧縮翼用研削盤（１０Ｄ）製造の液体酸素製造機（８９Ａ）＋竪型全動翼蒸気水重力タービン（１１Ｚ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１６７】
太陽光加熱器（２１）で加熱高温とした空気（２８ａ）を吸入圧縮圧縮比１００以上にして圧縮空気熱交換器（２Ｙ）に噴射燃料噴射燃焼熱交換超臨界圧力水蒸気（５Ｈ）製造する圧縮翼用研削盤（１０Ｄ）製造の液体酸素製造機（８９Ａ）＋竪型全動翼蒸気水重力タービン（１１Ｚ）とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１６８】
太陽光加熱器（２１）で加熱高温とした空気（２８ａ）を吸入圧縮圧縮比５０以上にして圧縮空気熱交換器（２Ｙ）に噴射燃料噴射燃焼熱交換超臨界圧力水蒸気（５Ｈ）製造する圧縮翼用研削盤（１０Ｄ）製造の液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１６９】
太陽光加熱器（２１）で加熱高温とした空気（２８ａ）を吸入圧縮圧縮比６０以上にして圧縮空気熱交換器（２Ｙ）に噴射燃料噴射燃焼熱交換超臨界圧力水蒸気（５Ｈ）製造する圧縮翼用研削盤（１０Ｄ）製造の液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１７０】
太陽光加熱器（２１）で加熱高温とした空気（２８ａ）を吸入圧縮圧縮比７０以上にして圧縮空気熱交換器（２Ｙ）に噴射燃料噴射燃焼熱交換超臨界圧力水蒸気（５Ｈ）製造する圧縮翼用研削盤（１０Ｄ）製造の液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１７１】
太陽光加熱器（２１）で加熱高温とした空気（２８ａ）を吸入圧縮圧縮比８０以上にして圧縮空気熱交換器（２Ｙ）に噴射燃料噴射燃焼熱交換超臨界圧力水蒸気（５Ｈ）製造する圧縮翼用研削盤（１０Ｄ）製造の液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１７２】
太陽光加熱器（２１）で加熱高温とした空気（２８ａ）を吸入圧縮圧縮比９０以上にして圧縮空気熱交換器（２Ｙ）に噴射燃料噴射燃焼熱交換超臨界圧力水蒸気（５Ｈ）製造する圧縮翼用研削盤（１０Ｄ）製造の液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１７３】
太陽光加熱器（２１）で加熱高温とした空気（２８ａ）を吸入圧縮圧縮比１００以上にして圧縮空気熱交換器（２Ｙ）に噴射燃料噴射燃焼熱交換超臨界圧力水蒸気（５Ｈ）製造する圧縮翼用研削盤（１０Ｄ）製造の液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電とした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１７４】
太陽光加熱器（２１）で加熱高温とした空気（２８ａ）を吸入圧縮圧縮比５０以上にして圧縮空気熱交換器（２Ｙ）に噴射燃料噴射燃焼熱交換超臨界圧力水蒸気（５Ｈ）製造する圧縮翼用研削盤（１０Ｄ）製造の液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電とし同一燃料量既存火力発電の２０倍以上の発電量にした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１７５】
太陽光加熱器（２１）で加熱高温とした空気（２８ａ）を吸入圧縮圧縮比６０以上にして圧縮空気熱交換器（２Ｙ）に噴射燃料噴射燃焼熱交換超臨界圧力水蒸気（５Ｈ）製造する圧縮翼用研削盤（１０Ｄ）製造の液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電とし同一燃料量既存火力発電の４０倍以上の発電量にした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１７６】
太陽光加熱器（２１）で加熱高温とした空気（２８ａ）を吸入圧縮圧縮比７０以上にして圧縮空気熱交換器（２Ｙ）に噴射燃料噴射燃焼熱交換超臨界圧力水蒸気（５Ｈ）製造する圧縮翼用研削盤（１０Ｄ）製造の液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電とし同一燃料量既存火力発電の６０倍以上の発電量にした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１７７】
太陽光加熱器（２１）で加熱高温とした空気（２８ａ）を吸入圧縮圧縮比８０以上にして圧縮空気熱交換器（２Ｙ）に噴射燃料噴射燃焼熱交換超臨界圧力水蒸気（５Ｈ）製造する圧縮翼用研削盤（１０Ｄ）製造の液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電とし同一燃料量既存火力発電の８０倍以上の発電量にした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１７８】
太陽光加熱器（２１）で加熱高温とした空気（２８ａ）を吸入圧縮圧縮比９０以上にして圧縮空気熱交換器（２Ｙ）に噴射燃料噴射燃焼熱交換超臨界圧力水蒸気（５Ｈ）製造する圧縮翼用研削盤（１０Ｄ）製造の液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電とし同一燃料量既存火力発電の１００倍以上の発電量にした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１７９】
太陽光加熱器（２１）で加熱高温とした空気（２８ａ）を吸入圧縮圧縮比１００以上にして圧縮空気熱交換器（２Ｙ）に噴射燃料噴射燃焼熱交換超臨界圧力水蒸気（５Ｈ）製造する圧縮翼用研削盤（１０Ｄ）製造の液体酸素製造機（８９Ａ）＋逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電とし同一燃料量既存火力発電の１２０倍以上の発電量にした逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１８０】
簡単ガス機関（８９Ｃ）製造の超臨界圧力水蒸気（５Ｈ）を超臨界圧力水蒸気管（５Ｈ）により竪型全動翼蒸気水重力タービン（１１Ｚ）最上部上昇して開閉弁（１Ｑ）を解放超臨界圧力水蒸気（５Ｈ）を噴射して円筒外側動翼群（６０Ｄ）＋円筒内側動翼群（６０Ｃ）を二重反転駆動する逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１８１】
簡単ガス機関（８９Ｃ）製造の超臨界圧力水蒸気（５Ｈ）を超臨界圧力水蒸気管（５Ｈ）により竪型全動翼蒸気水重力タービン（１１Ｚ）最上部上昇して開閉弁（１Ｑ）を解放し超臨界圧力水蒸気（５Ｈ）を噴射して円筒外側動翼群（６０Ｄ）＋円筒内側動翼群（６０Ｃ）を二重反転駆動の過程で衝動液化蒸気容積縮小する逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１８２】
簡単ガス機関（８９Ｃ）製造の超臨界圧力水蒸気（５Ｈ）を超臨界圧力水蒸気管（５Ｈ）により竪型全動翼蒸気水重力タービン（１１Ｚ）最上部上昇して開閉弁（１Ｑ）を解放し超臨界圧力水蒸気（５Ｈ）を噴射水を吸引して円筒外側動翼群（６０Ｄ）＋円筒内側動翼群（６０Ｃ）を二重反転駆動の過程で衝動液化蒸気容積縮小する逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１８３】
簡単ガス機関（８９Ｃ）製造の超臨界圧力水蒸気（５Ｈ）を超臨界圧力水蒸気管（５Ｈ）により竪型全動翼蒸気水重力タービン（１１Ｚ）最上部上昇して開閉弁（１Ｑ）を解放し超臨界圧力水蒸気（５Ｈ）を噴射水を吸引噴射して円筒外側動翼群（６０Ｄ）＋円筒内側動翼群（６０Ｃ）を二重反転駆動の過程で衝動液化蒸気容積縮小する逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１８４】
簡単ガス機関（８９Ｃ）製造の超臨界圧力水蒸気（５Ｈ）を超臨界圧力水蒸気管（５Ｈ）により竪型全動翼蒸気水重力タービン（１１Ｚ）最上部上昇して開閉弁（１Ｑ）を解放し超臨界圧力水蒸気（５Ｈ）を噴射低温水吸引して円筒外側動翼群（６０Ｄ）＋円筒内側動翼群（６０Ｃ）を二重反転駆動の過程で衝動液化蒸気容積縮小する逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１８５】
簡単ガス機関（８９Ｃ）製造の超臨界圧力水蒸気（５Ｈ）を超臨界圧力水蒸気管（５Ｈ）により竪型全動翼蒸気水重力タービン（１１Ｚ）最上部上昇して開閉弁（１Ｑ）を解放し超臨界圧力水蒸気（５Ｈ）を噴射低温水を吸引噴射して円筒外側動翼群（６０Ｄ）＋円筒内側動翼群（６０Ｃ）を二重反転駆動の過程で衝動液化蒸気容積縮小する逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１８６】
簡単ガス機関（８９Ｃ）製造の超臨界圧力水蒸気（５Ｈ）を超臨界圧力水蒸気管（５Ｈ）により竪型全動翼蒸気水重力タービン（１１Ｚ）最上部上昇して開閉弁（１Ｑ）を解放し超臨界圧力水蒸気（５Ｈ）を噴射高温水を吸引して円筒外側動翼群（６０Ｄ）＋円筒内側動翼群（６０Ｃ）を二重反転駆動の過程で衝動液化蒸気容積縮小する逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１８７】
簡単ガス機関（８９Ｃ）製造の超臨界圧力水蒸気（５Ｈ）を超臨界圧力水蒸気管（５Ｈ）により竪型全動翼蒸気水重力タービン（１１Ｚ）最上部上昇して開閉弁（１Ｑ）を解放し超臨界圧力水蒸気（５Ｈ）を噴射高温水を吸引噴射して円筒外側動翼群（６０Ｄ）＋円筒内側動翼群（６０Ｃ）を二重反転駆動の過程で衝動液化蒸気容積縮小する逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１８８】
簡単ガス機関（８９Ｃ）製造の超臨界圧力水蒸気（５Ｈ）を超臨界圧力水蒸気管（５Ｈ）により竪型全動翼蒸気水重力タービン（１１Ｚ）最上部上昇して開閉弁（１Ｑ）を解放し超臨界圧力水蒸気（５Ｈ）を噴射高温水を吸引噴射真空中重力加速度加速して円筒外側動翼群（６０Ｄ）＋円筒内側動翼群（６０Ｃ）を二重反転駆動の過程で衝動液化蒸気容積縮小する逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１８９】
簡単ガス機関（８９Ｃ）製造の超臨界圧力水蒸気（５Ｈ）を超臨界圧力水蒸気管（５Ｈ）により竪型全動翼蒸気水重力タービン（１１Ｚ）最上部上昇して開閉弁（１Ｑ）を解放し超臨界圧力水蒸気（５Ｈ）を噴射水を吸引真空中重力加速度加速して円筒外側動翼群（６０Ｄ）＋円筒内側動翼群（６０Ｃ）を二重反転駆動の過程で衝動液化蒸気容積縮小する逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１９０】
簡単ガス機関（８９Ｃ）製造の超臨界圧力水蒸気（５Ｈ）を超臨界圧力水蒸気管（５Ｈ）により竪型全動翼蒸気水重力タービン（１１Ｚ）最上部上昇して開閉弁（１Ｑ）を解放し超臨界圧力水蒸気（５Ｈ）を噴射水を吸引噴射真空中重力加速度加速して円筒外側動翼群（６０Ｄ）＋円筒内側動翼群（６０Ｃ）を二重反転駆動の過程で衝動液化蒸気容積縮小する逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１９１】
簡単ガス機関（８９Ｃ）製造の超臨界圧力水蒸気（５Ｈ）を超臨界圧力水蒸気管（５Ｈ）により竪型全動翼蒸気水重力タービン（１１Ｚ）最上部上昇して開閉弁（１Ｑ）を解放し超臨界圧力水蒸気（５Ｈ）を噴射低温水吸引真空中重力加速度加速して円筒外側動翼群（６０Ｄ）＋円筒内側動翼群（６０Ｃ）を二重反転駆動の過程で衝動液化蒸気容積縮小する逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１９２】
簡単ガス機関（８９Ｃ）製造の超臨界圧力水蒸気（５Ｈ）を超臨界圧力水蒸気管（５Ｈ）により竪型全動翼蒸気水重力タービン（１１Ｚ）最上部上昇して開閉弁（１Ｑ）を解放し超臨界圧力水蒸気（５Ｈ）を噴射低温水を吸引噴射真空中重力加速度加速して円筒外側動翼群（６０Ｄ）＋円筒内側動翼群（６０Ｃ）を二重反転駆動の過程で衝動液化蒸気容積縮小する逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１９３】
簡単ガス機関（８９Ｃ）製造の超臨界圧力水蒸気（５Ｈ）を超臨界圧力水蒸気管（５Ｈ）により竪型全動翼蒸気水重力タービン（１１Ｚ）最上部上昇して開閉弁（１Ｑ）を解放し超臨界圧力水蒸気（５Ｈ）を噴射高温水を吸引真空中重力加速度加速して円筒外側動翼群（６０Ｄ）＋円筒内側動翼群（６０Ｃ）を二重反転駆動の過程で衝動液化蒸気容積縮小する逆浸透水（５２Ｄ）初速製造部（６ａ）具備タービン翼用研削盤（１０Ｆ）製造の二重反転タービン翼群（８Ｆ）具備駆動の二重反転機関用立型旋盤（１０Ｂ）製造の竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１９４】
内側二重反転圧縮翼（８ｑ）外側二重反転圧縮翼（８ｒ）を具備した二重反転機関用旋盤（１０Ｃ）製造の簡単ガス機関（８９Ｃ）として竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１９５】
内側二重反転圧縮翼（８ｑ）外側二重反転圧縮翼（８ｒ）を具備した二重反転機関用旋盤（１０Ｃ）製造の簡単ガス機関（８９Ｃ）として竪型全動翼蒸気水重力タービン（１１Ｚ）発電電気製造物液体酸素（５Ｋ）駆動を含有可能な各種エネルギ保存サイクル合体機関及び合体方法。
【請求項１９６】
内側二重反転圧縮翼（８ｑ）外側二重反転圧縮翼（８ｒ）を具備した二重反転機関用旋盤（１０Ｃ）製造の簡単空気噴射機関（８９Ｄ）として竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１９７】
内側二重反転圧縮翼（８ｑ）外側二重反転圧縮翼（８ｒ）を具備した二重反転機関用旋盤（１０Ｃ）製造の簡単空気噴射機関（８９Ｄ）として竪型全動翼蒸気水重力タービン（１１Ｚ）発電電気製造物液体酸素（５Ｋ）駆動を含有可能な各種エネルギ保存サイクル合体機関及び合体方法。
【請求項１９８】
内側二重反転圧縮翼（８ｑ）外側二重反転圧縮翼（８ｒ）を具備した二重反転機関用旋盤（１０Ｃ）製造の簡単噴射機関（８９Ｅ）として竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項１９９】
内側二重反転圧縮翼（８ｑ）外側二重反転圧縮翼（８ｒ）を具備した二重反転機関用旋盤（１０Ｃ）製造の簡単噴射機関（８９Ｅ）として竪型全動翼蒸気水重力タービン（１１Ｚ）発電電気製造物液体酸素（５Ｋ）駆動を含有可能な各種エネルギ保存サイクル合体機関及び合体方法。
【請求項２００】
内側二重反転出力翼（８ｓ）外側二重反転出力翼（８ｔ）を具備した二重反転機関用旋盤（１０Ｃ）製造の簡単ガス機関（８９Ｃ）として竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項２０１】
内側二重反転出力翼（８ｓ）外側二重反転出力翼（８ｔ）を具備した二重反転機関用旋盤（１０Ｃ）製造の簡単ガス機関（８９Ｃ）として竪型全動翼蒸気水重力タービン（１１Ｚ）発電電気製造物液体酸素（５Ｋ）駆動を含有可能な各種エネルギ保存サイクル合体機関及び合体方法。
【請求項２０２】
内側二重反転出力翼（８ｓ）外側二重反転出力翼（８ｔ）を具備した二重反転機関用旋盤（１０Ｃ）製造の簡単空気噴射機関（８９Ｄ）として竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項２０３】
内側二重反転出力翼（８ｓ）外側二重反転出力翼（８ｔ）を具備した二重反転機関用旋盤（１０Ｃ）製造の簡単空気噴射機関（８９Ｄ）として竪型全動翼蒸気水重力タービン（１１Ｚ）発電電気製造物液体酸素（５Ｋ）駆動を含有可能な各種エネルギ保存サイクル合体機関及び合体方法。
【請求項２０４】
内側二重反転出力翼（８ｓ）外側二重反転出力翼（８ｔ）を具備した二重反転機関用旋盤（１０Ｃ）製造の簡単噴射機関（８９Ｅ）として竪型全動翼蒸気水重力タービン（１１Ｚ）発電電気製造物液体酸素（５Ｋ）液体窒素（５Ｌ）駆動を含有可能な各種エネルギ保存サイクル合体機関及び合体方法。
【請求項２０５】
内側二重反転出力翼（８ｓ）外側二重反転出力翼（８ｔ）を具備した二重反転機関用旋盤（１０Ｃ）製造の簡単噴射機関（８９Ｅ）として竪型全動翼蒸気水重力タービン（１１Ｚ）発電電気製造物液体酸素（５Ｋ）駆動を含有可能な各種エネルギ保存サイクル合体機関及び合体方法。
【発明の詳細な説明】
【技術分野】
【０００１】
既存最先端科学技術が、物理基礎の運動エネルギ＝質量×速度の２乗に比例するを利用０で無茶発電にし、デフレ脱却には給料増大以外は無く絶好のチャンスで、給料増大には日本企業の世界一必勝戦略が必要なため、オールジャパン戦略として日本企業のみ電力料金を０にする国家戦略や企業戦略等が最重要で、先進国経済成長戦略には具体的な質量×速度の優位性の比較説明倍率最大が最重要なため、質量×速度の無限増大に挑戦する既存蒸気タービン最終翼群の羅列＋水速度駆動の、液体酸素製造機８９Ａ＋竪型全動翼蒸気水重力タービン１１Ｚ燃料費０発電にして、既存蒸気タービン最終翼群と同一流路面積の発電量を、１／２０００容積１０倍水質量×３０倍水速度の２乗＝９０００倍発電量のタービン翼群８Ｆの羅列とし、重力発電建物１２で落差８００ｍ製造タービン翼群８Ｆ３０００列の優位性比較説明倍率は、既存蒸気タービン最終段翼群の、９０００倍発電量×３０００列＝２７００００００倍発電量の竪型全動翼蒸気水重力タービン１１Ｚ発電として、発電電気製造物含有駆動を含む、各種エネルギ保存サイクル合体機関や各種エネルギ保存合体方法の技術に関する。
【０００２】
燃料費０発電にする過程では、電気駆動の液体酸素製造機８９Ａで太陽光加熱器２１で１０倍等に加熱した空気２８ａを圧縮し、圧縮比８０以上にして圧縮空気熱交換器２Ｙで熱交換し超臨界圧力水蒸気５Ｈ製造にして、既存ボイラーの１３０倍×１０倍＝１３００倍超臨界圧力水蒸気５Ｈ製造量にし、逆浸透水５２Ｄ初速度製造に限定使用し既存火力発電の１／１００使用熱量にして、逆浸透水５２Ｄ温度上昇を僅少狙い真空度最大狙い発電量最大や気化熱最少発電にし、実験を必要や重要や発電量が水質量×速度の２乗×落差に比例すると仮定して、重力発電建物１２＋比重大物質上昇装置２Ｆの高さや強度を最重要とし、柱管１２Ｂを比重大物質上昇装置２Ｆとして使用して、管径を増大することで鉄骨骨組１２Ａの柱を強大とし、用途に合わせた高さの強大な高層建築物として、竪型全動翼蒸気水重力タービン１１Ｚ発電とし、製造過程で最も重要な工程を超高速回転時の回転バランス調整加工として、内側軸装置６０Ａ＋外側軸装置６０Ｂ夫々の両端に各種軸受１２Ｃを具備し、内側軸装置６０Ａと外側軸装置６０Ｂ夫々を別々に製造仮組立てして、夫々の両端を二重反転機関用立型旋盤１０Ｂで保持超高速回転バランス調整加工後に分解して本組立にし、前例の無い内側軸装置６０Ａ兼円筒内側動翼群６０Ｃと、外側軸装置６０Ｂ兼円筒外側動翼群６０Ｄの二重反転にする、竪型全動翼蒸気水重力タービン１１Ｚ発電＋発電電気製造物含有駆動の、各種エネルギ保存サイクル合体機関や各種エネルギ保存合体方法の技術に関する。
【０００３】
竪型全動翼蒸気水重力タービン１１Ｚ発電電気駆動機関や電気製造物含有駆動機関は、前記と略同様に最も重要な工程を超高速回転時の回転バランス調整加工として、内側軸装置６０Ａ＋外側軸装置６０Ｂ夫々の両端に各種軸受１２Ｃを具備し、内側軸装置６０Ａと外側軸装置６０Ｂ夫々を別々に製造仮組立てして、夫々の両端を二重反転機関用旋盤１０Ｃで保持超高速回転バランス調整加工良好後に分解して本組立にし、前例の無い円筒内側動翼群６０Ｃと円筒外側動翼群６０Ｄの二重反転にする、液体酸素製造機８９Ａや、簡単多段圧縮機８９Ｂや、簡単ガス機関８９Ｃや、簡単空気噴射機関８９Ｄや、簡単噴射機関８９Ｅ駆動にして、駆動過程では超臨界圧力水蒸気５Ｈ製造量や超高圧力を最も重要とし、圧縮空気熱交換器２Ｙ圧縮比既存ガスタービン圧縮比３０〜４０を８０〜１００狙いにして、液体酸素製造機８９Ａ＋竪型全動翼蒸気水重力タービン１１Ｚの超臨界圧力水蒸気５Ｈ加速や、真空中重力加速度発電や、簡単ガス機関自動車８９Ｆや、簡単ガス機関船舶８９Ｇや、簡単ガス機関飛行機８９Ｈや、簡単空気噴射機関船舶８９Ｉや、簡単噴射機関飛行機８９Ｊや、回転翼飛行機８９Ｋや、回転翼噴射飛行機８９Ｌや、特大オスプレイ８９Ｍや、大型オスプレイ８９Ｎを駆動にし、船舶の駆動では、自然現象高速化２ａとして海水に窒素や酸素やＣＯ２を供給微生物や海草類増大して、食物連鎖等で魚類等人類の食料を大増大し、飛行機や自動車駆動ではＣＯ２排気１／１００や燃料費１／１００や１／５０万経費宇宙到達狙い、飛行機や船舶は１０倍速度狙い、夫々で運用利益率抜群世界一永遠持続狙う、各種エネルギ保存サイクル合体機関や各種エネルギ保存合体方法の技術に関する。
【背景技術】
【０００４】
既存最先端科学技術の揚水発電は水速度を全く利用しない発電で、既存最先端火力発電は質量も速度も利用しない燃料のみ利用する無茶発電のため、揚水発電に水速度を追加した揚水発電の優位性比較説明倍率を計算すると、マッハ３０÷１／５＝１５０倍速度で発電量２２５００倍の揚水発電になり、マッハ３０÷１／７＝２１０倍速度の４４１００倍発電量の揚水発電になる等、実験が必要な革命的な発電量の揚水発電にして、海水温度上昇０やＣＯ２排気０等地球温暖化防止には燃料費０発電を最良とし、電気駆動の液体酸素製造機８９Ａによる超臨界圧力水蒸気５Ｈ製造初速度製造にして、液体酸素製造機８９Ａ＋竪型全動翼蒸気水重力タービン１１Ｚ燃料費０発電とし、既存蒸気タービン最終翼群の３０倍逆浸透水５２Ｄ速度での優位性比較説明倍率発電量が、同一タービン翼群８Ｆ環状駆動面積既存蒸気タービン最終翼群の、１／２０００容積１０倍水質量×３０倍速度の２乗＝９０００倍発電量になる背景技術があり、加えて超臨界圧力水蒸気５Ｈ使用量も逆浸透水５２Ｄ初速度製造用のため僅少に加えて、真空中の重力加速度９．８ｍ／毎秒使用の発電では落差使用が１０００ｍ狙いに加えて、重力発電建物１２により落差無限増大する背景技術利用のため、実験結果が既存の２倍発電量以上で地球温暖化防止革命や、経済成長戦略革命や、運用利益率抜群世界一永遠革命等により、日本の財政赤字１０００兆円を比較的短期間に０にする等が狙える背景技術がある。
【０００５】
既存最先端科学技術火力発電の蒸気タービン発電は、静翼と動翼を交互に夫々２０前後具備して、蒸気速度を静翼で２０回前後堰き止め９０度方向転換噴射を繰り返す無茶膨張発電にし、蒸気速度を１／１０〜１／３０等として回転出力を１／１００〜１／９００にして、既存火力発電のボイラーは大気圧燃料燃焼の過熱蒸気無茶製造にし、製造蒸気熱量を１／１３０等にしている疑惑があるため、液体酸素製造機８９Ａ＋竪型全動翼蒸気水重力タービン１１Ｚ燃料費０発電として、落差製造＋比重大物質噴射速度製造＋超臨界圧力水蒸気５Ｈ膨張速度加速＋真空中重力加速度発電にし、液体酸素製造機８９Ａで超臨界圧力水蒸気５Ｈ製造の過程では、太陽光加熱器２１で１０倍熱量等に加熱した空気２８ａを液体酸素製造機８９Ａで圧縮して、圧縮比８０以上で圧縮空気熱交換器２Ｙで熱交換超臨界圧力水蒸気５Ｈ製造し、既存ボイラーの１０倍熱量×１３０倍熱量＝１３００倍熱量の超臨界圧力水蒸気５Ｈを製造して、逆浸透水５２Ｄマッハ３０等初速度製造に使用すると全部を電気駆動の燃料費０発電にし、落差８００ｍにタービン翼群８Ｆ３０００列の優位性比較説明倍率発電量＝既存蒸気タービン最終翼群の、９０００倍発電量×３０００列＝２７００００００倍発電量の竪型全動翼蒸気水重力タービン１１Ｚとなり、実験結果が既存の２倍発電量以上で地球温暖化防止革命や、経済成長戦略革命や、運用利益率抜群世界一永遠革命等により、日本の財政赤字１０００兆円を比較的短期間に０にする等が狙える背景技術がある。
【０００６】
既存最先端科学技術の飛行機や船舶のガスタービンは、静翼と動翼を交互に具備して、圧縮機では圧縮空気を静翼で堰き止め方向転換繰り返す無茶圧縮にし、タービンでは燃焼ガスを静翼で堰き止め９０度方向転換を繰り返す無茶膨張にして、仕事皆無の静翼を動翼と交互に半数具備し、夫々で回転出力や噴射推進出力を１／１００等、怠慢過ぎる既存最先端科学技術にして、飛行機速度や船舶速度を１／１０等にしているため、既存圧縮翼や出力翼と全く違う二重反転圧縮翼や二重反転出力翼とし、経験しない超高速回転での圧縮や超高速燃焼ガスでの超高速回転出力にして、圧縮比８０〜１００狙いの圧縮空気熱交換器２Ｙの超臨界圧力水蒸気５Ｈ製造にし、燃焼温度１３０倍の熱交換超臨界圧力水蒸気５Ｈ１３０倍製造狙いとして、同一燃料量既存ボイラーの１３０倍の超臨界圧力水蒸気５Ｈ製造量にする、全動翼二重反転の簡単ガス機関８９Ｃや簡単空気噴射機関８９Ｄや簡単噴射機関８９Ｅ等とし、回転出力や噴射推進出力を既存ガスタービンの１００〜１０００倍狙いにして、飛行機や船舶は１０倍速度狙い飛行機は宇宙飛行全盛狙いにし、宇宙到達費用１／５０万や１日に地球を１６周する等として、経済成長戦略革命や、運用利益率抜群世界一永遠革命等により、日本の財政赤字１０００兆円を比較的短期間に０にする等が狙える背景技術がある。
【先行技術文献】
【特許文献】
【０００７】
【特許文献１】日本国特許１６０７１５１号、特許１６０９６１７号、特許１６４５３５０号、特許１９２４８８９号、特許１９１２５２２号、特許１９５９３０５号、特許１９８６１１９号、特許２６０４６３６号、１９９２年米国特許５１３３３０５号、１９９３年米国特許５２３０３０７号、１９９５年米国特許５４２９０７８号、１９９７年米国特許５７０１８６４号、ＰＣＴ国際出願番号ＰＣＴ／ＪＰ９７／０１８１４号・米国特許第６１１９６５０号、中国特許第８８１８号、ＥＵ英国特許９０２１７５号、ＰＣＴ国際出願番号ＰＣＴ／ＪＰ９７／０２２５０号・米国特許第６２６３６６４号がある。
【０００８】
【特許文献２】ＰＣＴ国際出願公開ＮＯ．ＷＯ  ２０１０／１０１０１７  ＰＣＴ／ＪＰ２０１０／０５２１７１の出願があり、特願２００７−１７９２０４提出日：平成１９年７月９日より特願２００７−２６５１１５提出日：平成１９年１０月１１日まで５個の出願があり、特願２００８−００６６１２提出日：平成２０年１月１６日より特願２００８−３２７０４５提出日：平成２０年１２月２４日まで４５個の出願があり、特願２００９−０１１６５６提出日：平成２１年１月２２日より特願２００９−２９８００４提出日：平成２１年１２月２８日まで３２２個の出願があり、特願２０１０−０００８４１提出日：平成２２年１月６日より特願２０１０−０３３２２４提出日：平成２２年２月１８日まで３２個の出願があり、特願２０１１−０５５０７８提出日：平成２３年３月１４日より特願２０１１−２６７５０８提出日平成２３年１２月７日まで２２個の出願があり、特願２０１２−０３２２４５提出日：平成２４年２月１７日より特願２０１２−２７１０３５提出日：平成２４年１２月１２日まで２９個の出願があり、特願２０１３−７９７５提出日：平成２５年１月２１日より特願２０１３−２０６１７１提出日：平成２５年１０月１日まで２４個の出願があります。
【発明の概要】
【発明が解決しようとする課題】
【０００９】
既存最先端科学技術の揚水発電の発電部分では、速度を全く利用しない発電にして揚水電力以下の発電にする等、無茶過ぎる他方で揚水入力が回転速度の３乗に比例するため可変速モーターを採用しており、怠慢過ぎる既存最先端科学技術の発電量増大の意志皆無等、無茶過ぎる点を同一水質量１０００倍発電量狙いに改良し、既存最先端科学技術の火力発電蒸気タービンは静翼と動翼を交互に２０前後具備して、蒸気速度を１／１０〜１／３０等として回転出力を１／１００〜１／９００以下にし、既存火力発電のボイラーは大気圧燃料燃焼の過熱蒸気無茶製造にして、製造蒸気熱量を１／１３０等にしているため、液体酸素製造機８９Ａ＋竪型全動翼蒸気水重力タービン１１Ｚ燃料費０発電とし、飛行機や船舶を駆動するガスタービンの圧縮機やタービンの改良点は、静翼と動翼を交互に具備して、圧縮機では圧縮空気を静翼で堰き止め９０度反転噴射圧縮を繰り返す無茶圧縮にし、タービンではガス速度を静翼で堰き止め９０度反転噴射を繰り返して、全く仕事をしない静翼でガス速度の殆どを消費する等、既存最先端科学技術の無茶過ぎる点を改良し、１０００倍回転出力や噴射推進出力狙いにする課題がある。
【課題を解決するための手段】
【００１０】
太陽光加熱器２１で１０倍温度等に加熱した空気２８ａを、液体酸素製造機８９Ａで圧縮比８０以上に圧縮して、圧縮空気熱交換器２Ｙで熱交換超臨界圧力水蒸気５Ｈ製造量を既存ボイラーの１３００倍狙いにし、液体酸素製造機８９Ａ＋竪型全動翼蒸気水重力タービン１１Ｚ燃料費０発電にして、重力発電建物１２で落差製造＋比重大物質噴射速度製造＋超臨界圧力水蒸気５Ｈ加速＋真空中重力加速度加速で発電し、燃料費０で既存火力発電や揚水発電の１０００倍発電量狙いにして、該電気駆動や液体酸素製造機８９Ａで製造の液体酸素駆動等電気製造物含有駆動にし、例えば圧縮仕事率を空気圧縮の２１／６００００容積圧縮仕事率にして、簡単多段圧縮機８９Ｂ連結可能な、簡単ガス機関８９Ｃや、簡単空気噴射機関８９Ｄや、簡単噴射機関８９Ｅ駆動とし、既存ガスタービンの１０００倍回転出力や噴射推進出力狙いにして、自動車等車両類や船舶類や飛行機類を回転力駆動や噴射推進駆動にし、飛行機は既存最高飛行高度付近より水蒸気ロケット噴射して、宇宙到達費用既存飛行機の燃料費程度とし、既存宇宙到達費用の１／５０万前後として、宇宙飛行全盛狙いや１日に地球を１６周する等とし、地球上何処でも日帰り旅行や大気中はＣＯ２排気僅少飛行狙いとして、世界規模１００％独占して極秘製造極秘運用する発電や船舶や飛行機や自動車等とし、既存最先端科学技術の無茶過ぎる点を改良既存の２〜１０００倍出力の大革命にして、製造物全部運用の運用利益率抜群の世界一永遠狙いや新規雇用抜群の世界一にし、地球温暖化防止する。
【発明の効果】
【００１１】
実験結果が待望ですが、既存の揚水発電の発電部分に、落差製造＋逆浸透水５２Ｄ噴射速度製造＋超臨界圧力水蒸気５Ｈ加速＋真空中重力加速度加速で発電すると、同一揚水量同一落差燃料０の発電量を、既存揚水発電＋既存火力発電の１０〜１０００倍発電量の大革命に出来る効果が大きく、液体酸素製造機８９Ａ＋竪型全動翼蒸気水重力タービン１１Ｚ燃料費０安価発電の、電気駆動液体酸素製造機８９Ａで太陽光加熱器２１の１０倍温度等に加熱した空気を圧縮する熱製造にすると、燃料費０で超臨界圧力水蒸気５Ｈ温熱製造＋液体酸素５Ｋ冷熱製造＋液体窒素５Ｌ冷熱製造として、例えば日本近海のメタン回収等の熱利用に出来る効果も大きく、副産物の液体窒素や液体酸素も膨大な量になるため、液体窒素は氷の製造等各種冷熱として使用出来る大きな効果があり、液体酸素を空気圧縮に換えて使用すると圧縮仕事率を空気圧縮の２１／６００００容積圧縮仕事率にし、簡単ガス機関８９Ｃや簡単空気噴射機関８９Ｄや簡単噴射機関８９Ｅ等を駆動にして、自動車等車両類や船舶類や飛行機類を回転力駆動や噴射推進駆動するため、１／１０燃料費や１０倍速度を狙える大きな効果や、宇宙到達費用を既存ロケットの１／５０万前後にする効果も大きく、地球温暖化防止革命にする効果がある。
【００１２】
各種全動翼二重反転機関に具備した、圧縮空気熱交換器２Ｙ燃料噴射燃焼熱交換超臨界圧力水蒸気５Ｈ製造は、断熱圧縮の空気温度が圧縮比８で１３倍になるため、圧縮比８０で１３０倍温度狙い熱交換の超臨界圧力水蒸気５Ｈ製造にすると、同一燃料量の超臨界圧力水蒸気５Ｈ製造量を既存ボイラーの１３０倍に出来る効果があり、更に理論空燃比まで燃料燃焼質量を既存ガスタービンの４倍等に出来るため、燃焼ガス４９の回転出力や噴射推進出力を全動翼二重反転以外で４倍に近付ける効果があり、全動翼二重反転発電の液体酸素製造機８９Ａ＋竪型全動翼蒸気水重力タービン１１Ｚ発電では、液体酸素製造機８９Ａで太陽光加熱器２１の１０倍温度等に加熱した空気を圧縮して、圧縮空気熱交換器２Ｙで熱交換して超臨界圧力水蒸気５Ｈを製造するため、燃料費０で既存ボイラーの１３００倍の超臨界圧力水蒸気５Ｈ製造量にする大きな効果があり、全動翼二重反転の竪型全動翼蒸気水重力タービン１１Ｚにより、逆浸透水５２Ｄ噴射速度＋超臨界圧力水蒸気５Ｈ膨張速度加速＋真空中の重力加速度で加速して発電のため、逆浸透水５２Ｄ速度を既存蒸気タービンの３０倍にする効果があり、超臨界圧力水蒸気５Ｈ製造量を含めて燃料費０で既存火力発電の１０００倍発電量に近付ける大きな効果がある。
【図面の簡単な説明】
【００１３】
【図１】重力発電建物１２の説明図（実施例１）
【図２】竪型全動翼蒸気水重力タービン１１Ｚの軸受１２Ｃの説明図（実施例２）
【図３】内側軸装置６０Ａ外側軸装置６０Ｂの円筒動翼群の説明図（実施例３）
【図４】太陽光加熱器２１の説明図（実施例４）
【図５】液体酸素製造機８９Ａの説明図（実施例５）
【図６】簡単多段圧縮機８９Ｂの説明図（実施例６）
【図７】簡単ガス機関８９Ｃの説明図（実施例７）
【図８】圧縮空気熱交換器２Ｙの展開説明図（実施例８）
【図９】簡単空気噴射機関８９Ｄの説明図（実施例９）
【図１０】簡単噴射機関８９Ｅの説明図（実施例１０）
【図１１】簡単ガス機関自動車８９Ｆの説明図（実施例１１）
【図１２】簡単ガス機関船舶８９Ｇの説明図（実施例１２）
【図１３】簡単ガス機関飛行機８９Ｈの説明図（実施例１３）
【図１４】簡単空気噴射機関船舶８９Ｉの説明図（実施例１４）
【図１５】簡単噴射機関飛行機８９Ｊの説明図（実施例１５）
【図１６】回転翼飛行機８９Ｋの説明図（実施例１６）
【図１７】回転翼噴射飛行機８９Ｌの説明図（実施例１７）
【図１８】特大オスプレイ８９Ｍの説明図（実施例１８）
【図１９】大型オスプレイ８９Ｎの説明図（実施例１９）
【発明を実施するための形態】
【００１４】
既存技術に全動翼二重反転機関の前例皆無で本発明全部が全動翼二重反転機関関連のため、製造の過程で円筒内側動翼群６０Ｃと円筒外側動翼群６０Ｄを夫々別々に製造の過程で、夫々の両端には各種軸受１２Ｃを具備して部品毎に、二重反転機関用立型旋盤１０Ｂや二重反転機関用旋盤１０Ｃや圧縮翼用研削盤１０Ｄや出力翼用研削盤１０Ｅやタービン翼用研削盤１０Ｆ等で加工し、夫々を別々に仮組立して例えば二重反転機関用立型旋盤１０Ｂで両端を保持して、超高速回転バランス調整加工良好に加工後に分解本組立にする、全く新しい加工技術を中核とし、同一揚水量既存揚水発電の１０００倍発電量狙いや、燃料費０で既存火力発電の１０００倍発電量狙いや、同一燃料量宇宙到達費用既存ロケットの１／５０万狙いでの宇宙飛行全盛狙いや、同一燃料量１０倍速度の飛行機や船舶等に挑戦して、無茶過ぎる既存最先端科学技術の欠点を改良人類史上最大の貢献狙う。
【実施例１】
【００１５】
図１の重力発電建物１２は図２と合体するもので、揚水発電水速度音速の１／７〜１／５を、重力発電建物１２で落差製造し、逆浸透水５２Ｄ噴射速度製造＋初速製造部６ａで超臨界圧力水蒸気５Ｈ膨張速度加速＋真空中の重力加速度で発電して、同一水３Ｅ質量揚水発電のマッハ１０÷１／５＝５０倍速度＝５０×５０倍発電量＝２５００倍発電量とし、同一水３Ｅ質量揚水発電のマッハ入力増大や想定外を含めて１０００倍発電量狙いにして、落差を重力発電建物１２で無限製造し、発電機１を四方に取付け位置に合せて階数増大や重力発電建物１２を四方に増大して、竪型全動翼蒸気水重力タービン１１Ｚ発電無限併設を可能にし、重力発電建物１２の最上部より比重大物質の逆浸透水５２Ｄを高速噴射超臨界圧力水蒸気５Ｈ膨張速度加速して、真空度上昇中の重力加速度加速する過程で、円筒外側動翼群６０Ｄ＋円筒内側動翼群６０Ｃに噴射し夫々を二重反転駆動して、竪型全動翼蒸気水重力タービン１１Ｚタービン翼群８Ｆ多数を次々に駆動するため、比重大物質上昇装置２Ｆによる比重大物質３Ｅや２Ｅの最上部までの運搬速度が重要です。そこで重力発電建物１２の柱を柱管１２Ｂ兼比重大物質上昇装置２Ｆとして、柱管１２Ｂの管径を拡大して頑丈な柱にすると共に低速上昇速度で逆浸透水５２Ｄを上昇電力僅少にし、継手に角フランジ１２Ｄを鉄骨骨組１２Ａに合せて具備して、鉄骨骨組１２Ａの上下を角フランジ１２Ｄにボルト締め組立て等の各種建築技術にし、重力発電建物１２を構成柱管１２Ｂの内部を比重大物質上昇装置２Ｆとして使用して、逆浸透水５２Ｄを最上部に上昇保存し、比重大物質加速器６Ｗで加圧して、初速製造部６ａで超臨界圧力水蒸気５Ｈ膨張速度加速＋真空度上昇中の重力加速度加速にし、竪型全動翼蒸気水重力タービン１１Ｚ発電にする、各種エネルギ保存サイクル合体機関発電及び合体方法発電にする。
【実施例２】
【００１６】
図２の竪型全動翼蒸気水重力タービン１１Ｚ燃料費０発電は、発電量が質量×速度の２乗に比例する等質量×速度駆動を最重要＋全動翼超高速回転狙いとし、軸受荷重０接近狙う反発永久磁石９Ｂや吸引永久磁石９Ｃを具備振動等０接近にして、重力発電建物１２により真空中の重力加速度加速する落差を製造し、柱管１２Ｂの高さと発電機１を具備する横軸１ｈの高さに合わせた階数の最適高さとして、柱管１２Ｂ兼比重大物質上昇装置２Ｆにより逆浸透水５２Ｄを最上部に可変速モーターで上昇保存し、揚水入力が回転速度の３乗に比例するに対応して、比重大物質加速器６Ｗで逆浸透水５２Ｄを加圧噴射し、初速製造部６ａの超臨界圧力水蒸気５Ｈ膨張速度てマッハ３０等に加速して、真空度上昇中の重力加速度で二重反転タービン翼群８Ｆ駆動の発電にし、マッハ３０で直線加速の計算では既存揚水発電と同一水質量マッハ３０÷１／５＝１５０倍水速度として、１５０倍×１５０倍＝２２５００倍発電量にし、入力や想定外を差引後の発電量を１０００倍狙いにし、円筒内側動翼群６０Ｃと円筒外側動翼群６０Ｄを二重反転駆動して、大重量直線超高速噴射対応の全動翼二重反転とし、夫々が二重反転する円筒内側動翼群６０Ｃ兼内側軸装置６０Ａと、円筒外側動翼群６０Ｄ兼外側軸装置６０Ｂにして、夫々の両端には夫々最適軸受１２Ｃを具備し、夫々別々に二重反転機関用立型旋盤１０Ｂやタービン翼用研削盤１０Ｆで製造して、夫々別々に仮組立後に二重反転機関用立型旋盤１０Ｂで超高速バランス調整加工良好にし、分解して本組立てにする全く新しい超大型工作機械製造の加工にして、横軸１ｈで二重反転する複数〜多数組で１台の竪型全動翼蒸気水重力タービン１１Ｚを製造し、同一揚水量同一落差既存揚水発電の２倍で大革命を１０００倍発電量狙いにして、実験が必要ですが燃料費０で発電量の増大にし、利益率抜群世界一の地球温暖化防止にする、各種エネルギ保存サイクル合体機関発電及び合体方法発電にする。
【実施例３】
【００１７】
図３の図２分解図は速度利用を最重要とし、全動翼二重反転により同一周速度２倍速度利用に対応して、タービン翼群８Ｆ角度の設計追加で１０倍水速度対応とし、タービン翼群８Ｆ数１／３のや翼面積３倍等の１鋳造部品にして、部品数１／１００等で３０倍水速度対応や振動や共振の０接近狙いにし、軸受荷重０接近で超高速二重反転にして、反発永久磁石９Ｂを下部に吸引永久磁石９Ｃを上部に具備振動等０接近にし、外側動翼６０ｄ外入口翼６０ｅタービン翼群８Ｆや内側動翼６０ｃ内入口翼６０ｆタービン翼群８Ｆや外側動翼６０ｄ外中間翼６０ｇタービン翼群８Ｆや、内側動翼６０ｃ内中間翼６０ｈタービン翼群８Ｆや内側動翼６０ｃ内出口翼６０ｊタービン翼群８Ｆや外側動翼６０ｄ外出口翼６０ｋタービン翼群８Ｆ等夫々を１部品とし、部品数を１／１００等に低減振動や共振を０接近にして、嵌合組立部９Ｍ等夫々を二重反転機関用立型旋盤１０Ｂで加工し、夫々のタービン翼群８Ｆをタービン翼用研削盤１０Ｆ加工として、内側軸装置６０Ａ外側軸装置６０Ｂ夫々の両端に軸受１２Ｃ具備夫々別々に嵌合組立部９Ｍ仮組立とし、夫々の両端を二重反転機関用立型旋盤１０Ｂで保持超高速回転バランス調整加工して、バランス加工良好として分解本組立てし、二重反転磁気装置８５又は二重反転歯車装置８５Ｙにより二重反転する１組として、横軸１ｈに発電機１を夫々具備し、１組複数の発電機１多数組の実験が必要な発電にして、多数組の竪型全動翼蒸気水重力タービン１１Ｚ燃料費０発電とし、最上部の１組を初速度製造の１組として、他は全部同一の地震等で被害僅少が可能な多数組とし、落差５００〜８００ｍ狙いにして、給料世界一や雇用大増大する人類史上最大の貢献とし、利益率抜群世界一の地球温暖化防止にする、各種エネルギ保存サイクル合体機関発電及び合体方法発電にする。
【実施例４】
【００１８】
図４の太陽光加熱器２１の熱製造は、空気２０℃を断熱圧縮比８で１３倍の２６０℃になるを最重要とし、太陽光加熱器２１で１０倍温度等に加熱した空気２８ａを液体酸素製造機８９Ａで圧縮して、圧縮比８０の１３０倍として圧縮空気熱交換器２Ｙで熱交換超臨界圧力水蒸気５Ｈを製造し、超臨界圧力水蒸気５Ｈ燃料費０の製造量を、既存ボイラーの１０倍×１３０倍＝１３００倍製造量にして、竪型全動翼蒸気水重力タービン１１Ｚを燃料費０発電にし、該電気駆動の液体酸素製造機８９Ａで液体酸素５Ｋや液体窒素５Ｌを大量製造にして、電気＋液体酸素５Ｋ＋液体窒素５Ｌ＋超臨界圧力水蒸気５Ｈの供給設備３Ｄにし、温熱利用全盛や冷熱利用全盛の圧縮仕事率を２１／６００００や７９／６００００として、簡単ガス機関８９Ｃや簡単空気噴射機関８９Ｄや簡単噴射機関８９Ｅを駆動する、太陽光加熱器２１を水面に浮力を設け又は平地に円形鉄道を設けて具備し、太陽光を東から西に直角維持回転制御する図に無い水上装置や陸上装置として、太陽光加熱器２１には回転支持部４ｆを設けて歯車装置４ｄやローラー４ｅを具備し、円筒回転部７７Ｇとして太陽光を上下方向直角維持回転制御して、浮力や円形鉄道利用により東西方向直角維持回転制御する装置とし、太陽光を２方向直角維持回転制御して、加熱保存熱量最大狙う熱吸収管４Ｈ内空気温度を最高にする装置とし、地球最大熱量の太陽光を矩形長レンズ２ｄにより直線状に集めて、焦点距離付近に熱吸収管４Ｈ具備内部空気路２８Ａ空気２８ａ温度を最高にして、外部空気路２８Ａ空気２８ａ温度も上昇し、既存のレンズ断面を直線状に延長矩形の長レンズ２ｄとして、レンズ材質全部を使用可能とし、発泡プラスチック等の断熱材２ｃを円筒回転部７７Ｇ等で囲って円筒等の長大な筒として、長大な長レンズ２ｄを継手８０Ａ＋締付具８０Ｂで密封し、上部を外部空気路２８Ａとし熱吸収管４Ｈ内部を内部空気路２８Ａとして、２空気路２８Ａ選択吸入の太陽光加熱器２１にする。
【実施例５】
【００１９】
図５の液体酸素製造機８９Ａは、竪型全動翼蒸気水重力タービン１１Ｚ燃料費０発電電気駆動＋空気タービン３ｔ駆動にし、太陽光加熱器２１で１０倍温度等に加熱した空気２８ａを液体酸素製造機８９Ａで圧縮して、夫々の逆浸透水５２Ｄ水冷却圧縮翼の内側二重反転圧縮翼８ｑ外側二重反転圧縮翼８ｒで、圧縮比８０等超高圧圧縮空気２８ａで水加熱して超臨界圧力水蒸気５Ｈ製造準備し、液体酸素製造機８９Ａ圧縮空気熱交換器２Ｙの水管５２Ｂで熱交換空気２８ａを冷却して、低温空気熱交換器２ｗで空気タービン３ｔ排気冷却のアルコール管５２Ｃで熱回収し、０℃以下の空気２８ａにして空気タービン３ｔを駆動排気温度を−２７０℃近傍にして、断熱膨張駆動の過程で液化温度に合わせて液体酸素５Ｋや液体窒素５Ｌを外周に液化噴射にし、段落毎の外周下部より夫々に分割して液体酸素５Ｋや液体窒素５Ｌ等で回収して、不用品を空気タービン３ｔ排気とし、アルコール管５２Ｃで熱交換アルコール５２Ｃを−１００℃以下として、アルコール管５２Ｃを低温空気熱交換器２ｗに延長して圧縮空気２８ａを冷却可能な最低温度にし、空気タービン３ｔ排気温度を絶対０度に近付ける循環にして、液体酸素５Ｋ＋液体窒素５Ｌ冷熱大量製造し、液体酸素５Ｋ＋液体窒素５Ｌ＋超臨界圧力水蒸気５Ｈ等各種温熱の供給設備３Ｄとして、円筒内側動翼群６０Ｃ兼内側軸装置６０Ａ及び、円筒外側動翼群６０Ｄ兼外側軸装置６０Ｂ夫々の両端最適位置に軸受１２Ｃ具備して、夫々別々に二重反転機関用旋盤１０Ｃや圧縮翼用研削盤１０Ｄや出力翼用研削盤１０Ｅで製造し、夫々別々に嵌合組立部９Ｍ螺子組立螺子固定や圧入螺子固定等に仮組立して、二重反転機関用旋盤１０Ｃで両端保持超高速回転バランス調整加工とし、バランス良好として分解本組立てにする内側軸装置６０Ａと外側軸装置６０Ｂの超高速二重反転にする、液体酸素製造機８９Ａとして、温熱利用全盛や冷熱利用全盛にし、液体酸素５Ｋや液体窒素５Ｌは各種機関で使用して、圧縮仕事率を２１／６００００や７９／６００００等にし、超高圧燃焼部を具備して選択駆動を可能した各種機関にして、飛行機や船舶や自動車等を各種回転駆動や超高速噴射推進駆動にする、液体酸素製造機８９Ａにする。
【実施例６】
【００２０】
図６の簡単多段圧縮機８９Ｂは、竪型全動翼蒸気水重力タービン１１Ｚ発電電気製造物駆動を含む各種機関に連結し、水冷却圧縮翼により超高圧圧縮空気２８ａを製造するもので、円筒内側動翼群６０Ｃ兼内側軸装置６０Ａ及び、円筒外側動翼群６０Ｄ兼外側軸装置６０Ｂ夫々の両端最適位置に軸受１２Ｃ具備して、夫々別々に二重反転機関用旋盤１０Ｃや圧縮翼用研削盤１０Ｄや出力翼用研削盤１０Ｅで製造し、夫々別々に嵌合組立部９Ｍ螺子組立螺子固定や圧入螺子固定等に仮組立して、二重反転機関用旋盤１０Ｃで両端保持し超高速回転バランス調整加工にし、バランス調整良好にして分解本組立てにして使用する、内側軸装置６０Ａ兼水冷却圧縮翼の内側二重反転圧縮翼８ｑや、外側軸装置６０Ｂ兼水冷却圧縮翼の外側二重反転圧縮翼８ｒの複数を製造やバランス調整加工として、夫々を分解して本組立てにすることで、内側軸装置６０Ａと外側軸装置６０Ｂの超高速二重反転良好とし、外箱翼６Ｇより吸入の空気２８ａを超高速回転超高圧圧縮して、圧縮空気熱交換機２Ｙで熱交換超臨界圧力水蒸気５Ｈ等を製造する２回圧縮や３回圧縮等とし、最適温度の高圧圧縮空気２８ａを製造する簡単多段圧縮機８９Ｂとして、各種機関に連結して液体酸素製造機８９Ａや簡単ガス機関８９Ｃや、簡単空気噴射機関８９Ｄや簡単噴射機関８９Ｅ等と連結駆動し、回転出力や噴射推進出力を発生して、飛行機や船舶や自動車等を各種回転駆動や超高速噴射推進駆動にする、マイクロ超高速簡単多段圧縮機８９Ｂを含む簡単多段圧縮機８９Ｂ各種連結駆動にする。
【実施例７】
【００２１】
図７の簡単ガス機関８９Ｃ単独使用の目標実験結果予想や製造方法は、外箱噴口６Ｇより吸入の空気２８ａを、水冷却圧縮翼の外側二重反転圧縮翼８ｒ内側二重反転圧縮翼８ｑで圧縮し、超臨界圧力水蒸気５Ｈ製造用水加熱の超高圧圧縮にして、圧縮空気熱交換器２Ｙで燃料噴射燃焼熱交換する超臨界圧力水蒸気管５Ｈ加熱とし、超臨界圧力水蒸気５Ｈ製造を圧縮比８０以上の熱交換として、同一燃料量既存ボイラーの１３０倍の超臨界圧力水蒸気５Ｈ製造量狙いとし、燃焼ガス４９＋超臨界圧力水蒸気５Ｈを外側二重反転出力翼８ｔ内側二重反転出力翼８ｓに噴射して、全動翼二重反転直線膨張駆動＋超臨界圧力水蒸気５Ｈ製造量１３０倍以上狙いにし、製造方法は円筒内側動翼群６０Ｃ兼内側軸装置６０Ａ及び、円筒外側動翼群６０Ｄ兼外側軸装置６０Ｂ夫々の両端最適位置に軸受１２Ｃ具備して、夫々別々に二重反転機関用旋盤１０Ｃや圧縮翼用研削盤１０Ｄや出力翼用研削盤１０Ｅで製造し、夫々別々に嵌合組立部９Ｍ螺子組立螺子固定や圧入螺子固定等に仮組立して、二重反転機関用旋盤１０Ｃで両端保持し超高速回転バランス調整加工にし、バランス調整良好にして分解本組立てにして使用する、内側軸装置６０Ａ兼内側二重反転圧縮翼８ｑや内側二重反転出力翼８ｓや、外側軸装置６０Ｂ兼外側二重反転圧縮翼８ｒや外側二重反転出力翼８ｔとして、超高速二重反転空気圧縮や回転出力発生とし、竪型全動翼蒸気水重力タービン１１Ｚ発電電気製造物の、液体酸素５Ｋ＋液体窒素５Ｌ駆動を含めた、入口の開閉弁１Ｑを閉止した長大な圧縮空気熱交換機２Ｙ使用の過程では、酸素窒素噴射ノズル６Ｍより液体酸素５Ｋや液体窒素５Ｌを噴射して、燃料噴射ノズル６Ｘより燃料噴射燃焼し、圧縮仕事率を２１／６００００＋７９／６００００の超高圧燃焼にして、同一燃料量既存ガスタービンの１０００倍回転出力や噴射推進出力狙いにし、１０倍速度や１／１００燃料費を狙う飛行機や船舶や自動車等として、各種回転駆動や超高速噴射推進駆動にする、簡単ガス機関８９Ｃにする。
【実施例８】
【００２２】
図８の全動翼二重反転＋圧縮空気熱交換器２Ｙの多種使用例を示す展開図は、断熱圧縮の温度上昇は空気温度２０℃が圧縮比８で１３倍の２６０℃になるを最重要とし、全動翼二重反転＋圧縮空気熱交換器２Ｙで圧縮比８０以上にして、超臨界圧力水蒸気５Ｈ製造量を既存ボイラーの１３０倍とし、水蒸気の特殊能力利用で宇宙到達費用や人工衛星設置費用を１／５０万狙いとして、燃料費０で既存の１０００倍発電量や安価電気製造物駆動とし、燃料の消費量を既存の１／１０００狙う飛行機類や船舶類や車両類にして、地球温暖化防止して上限の無い異常気象や地震津波の巨大化を阻止し、人類絶滅阻止が目的のため無限に近い使用例の一部分として、液体酸素５Ｋ駆動等竪型全動翼蒸気水重力タービン１１Ｚ発電電気製造物駆動含有駆動とし、油圧や螺子回転などで開閉する開閉弁１Ｑ具備として、圧縮空気熱交換器２Ｙ入口と出口の開閉弁１Ｑを閉止して使用の場合は、液体圧縮により圧縮仕事率を１／６００以下狙いの、酸素窒素噴射ノズル６Ｍや酸素噴射ノズル６Ｌ等液体酸素５Ｋ噴射や、燃料噴射ノズル６Ｘ液体燃料噴射燃焼含有とし、超高圧燃焼により圧力容器の耐圧限界に挑戦として、簡単ガス機関８９Ｃや簡単空気噴射機関８９Ｄや簡単噴射機関８９Ｅ駆動とし、燃焼ガス噴射ノズル６Ｙより燃焼ガス４９をロケット外箱７７Ｂ内に噴射して、過熱蒸気ロケット噴口６Ａより超臨界圧力水蒸気５Ｈをロケット外箱７７Ｂ内に噴射し、大気中では前方の空気を吸引噴射推進にして、真空中ではロケット噴射僅少で光速噴射推進永遠狙いにし、入口や出口の開閉弁１Ｑ全開で使用や各種開度で使用の場合は開閉弁１Ｑ無しと同様や、燃焼ガス噴射ノズル６Ｙと過熱蒸気ロケット噴口６Ａと過熱蒸気噴射ノズル６Ｚの各種開度噴射を選択可能として、同一燃料量既存ボイラーの１３０倍の超臨界圧力水蒸気５Ｈ製造量狙いの、圧縮空気熱交換器２Ｙや無限角度狙い全動翼二重反転にする。
【実施例９】
【００２３】
図９の簡単空気噴射機関８９Ｄは、円筒内側動翼群６０Ｃ兼内側軸装置６０Ａ及び、円筒外側動翼群６０Ｄ兼外側軸装置６０Ｂ夫々の両端最適位置に軸受１２Ｃ具備して、夫々別々に二重反転機関用旋盤１０Ｃや圧縮翼用研削盤１０Ｄや出力翼用研削盤１０Ｅで製造し、夫々別々に嵌合組立部９Ｍ螺子組立螺子固定や圧入螺子固定等に仮組立して、二重反転機関用旋盤１０Ｃで両端保持し超高速回転バランス調整加工にし、バランス調整良好にして分解本組立てにして使用する、内側軸装置６０Ａ兼水冷却圧縮翼内側二重反転圧縮翼８ｑや内側二重反転出力翼８ｓや、外側軸装置６０Ｂ兼水冷却圧縮翼外側二重反転圧縮翼８ｒや外側二重反転出力翼８ｔとして、内側軸装置６０Ａと外側軸装置６０Ｂの超高速二重反転水冷却圧縮翼での空気圧縮とし、同一燃料量で超臨界圧力水蒸気５Ｈ製造量既存ボイラーの１３０倍狙う、圧縮空気熱交換器２Ｙの超臨界圧力水蒸気５Ｈ製造として、超高圧圧縮空気２８ａに燃料噴射燃焼＋超臨界圧力水蒸気５Ｈ製造＋簡単空気噴射機関８９Ｄ駆動とし、同一圧縮空気量理論空燃比燃焼で既存ガスタービンの４倍燃料噴射燃焼の出力増大にして、回転出力発生増大＋超臨界圧力水蒸気５Ｈを製造ロケット外箱７７Ｂ内に噴射し、内周の排気を吸引噴射回転出力を増大して外周の空気２８ａを吸引噴射水の吸引噴射質量を増大して、竪型全動翼蒸気水重力タービン１１Ｚ発電電気製造物駆動を含め音速狙う空気浮上推進にし、長大な圧縮空気熱交換機２Ｙ使用の過程で入口の開閉弁１Ｑを閉止して、酸素窒素噴射ノズル６Ｍより液体酸素５Ｋや液体窒素５Ｌを噴射し、燃料噴射ノズル６Ｘより燃料噴射燃焼して、通常燃焼と合体の超臨界圧力水蒸気５Ｈ大量生産の超高速船舶推進として、通常燃焼でも理論空燃比燃焼で超臨界圧力水蒸気５Ｈを通常の４倍燃焼量で製造の大出力とし、液体酸素５Ｋや液体窒素５Ｌに燃料噴射燃焼は急加速空気浮上用や超高速推進に使用して、圧縮仕事率を２１／６００００や７９／６００００等超高圧燃焼部具備にし、１０倍速度や空中移動接近狙う船舶等を超高速噴射推進駆動にする、簡単空気噴射機関８９Ｄにする。
【実施例１０】
【００２４】
図１０の簡単噴射機関８９Ｅは、円筒内側動翼群６０Ｃ兼内側軸装置６０Ａ及び、円筒外側動翼群６０Ｄ兼外側軸装置６０Ｂ夫々の両端最適位置に軸受１２Ｃ具備して、夫々別々に二重反転機関用旋盤１０Ｃや圧縮翼用研削盤１０Ｄや出力翼用研削盤１０Ｅで製造し、夫々別々に嵌合組立部９Ｍ螺子組立螺子固定や圧入螺子固定等に仮組立して、二重反転機関用旋盤１０Ｃで両端保持し超高速回転バランス調整加工にし、バランス調整良好にして分解本組立てにして使用する、内側軸装置６０Ａ兼水冷却圧縮翼内側二重反転圧縮翼８ｑや内側二重反転出力翼８ｓや、外側軸装置６０Ｂ兼水冷却圧縮翼外側二重反転圧縮翼８ｒや外側二重反転出力翼８ｔとして、内側軸装置６０Ａと外側軸装置６０Ｂの超高速二重反転空気圧縮とし、圧縮比８０以上で同一燃料量超臨界圧力水蒸気５Ｈ製造量を既存ボイラーの１３０倍狙う、超高圧圧縮空気２８ａに燃料噴射燃焼熱交換する圧縮空気熱交換器２Ｙとして、超臨界圧力水蒸気５Ｈ製造の燃焼ガス４９で簡単噴射機関８９Ｅ駆動とし、同一圧縮空気量既存ガスタービンの４倍燃料噴射の燃焼ガス４９質量増大駆動にして、回転出力増大＋超臨界圧力水蒸気５Ｈを製造ロケット外箱７７Ｂ内に噴射し、内周の排気を吸引噴射回転出力を増大して、大気中では外周の空気２８ａを吸引噴射し真空中ではロケット噴射で光速狙いにし、竪型全動翼蒸気水重力タービン１１Ｚ発電電気製造物駆動の宇宙飛行永遠を含めて、長大な圧縮空気熱交換機２Ｙ使用の過程で入口と出口の開閉弁１Ｑを閉止し、酸素窒素噴射ノズル６Ｍより液体酸素５Ｋや液体窒素５Ｌを噴射して、燃料噴射ノズル６Ｘより燃料噴射燃焼し、通常燃焼と合体の超臨界圧力水蒸気５Ｈ大量生産として、液体酸素５Ｋや液体窒素５Ｌ使用では、圧縮仕事率を２１／６００００や７９／６００００等超高圧燃焼部具備にし、１０倍速度や１／１００燃料費を狙う、飛行機や船舶等を回転駆動や超高速噴射推進駆動にする、簡単噴射機関８９Ｅにする。
【実施例１１】
【００２５】
図１１の簡単ガス機関自動車８９Ｆは、毎分４０万回転全動翼二重反転の超小型簡単ガス機関８９Ｃ発電蓄電駆動とし、実験が必要ですが超臨界圧力水蒸気５Ｈ製造量既存ボイラーの１３０倍狙いや、全動翼二重反転＋超臨界圧力水蒸気５Ｈ製造として、既存ガスタービンの１００倍回転出力狙いにし、同一燃料量既存火力発電の１００倍発電量狙う簡単ガス機関８９Ｃ発電として、簡単ガス機関８９Ｃで、通常の空気圧縮燃料噴射燃焼と液体酸素液体窒素の圧縮噴射に燃料噴射燃焼し、夫々超臨界圧力水蒸気５Ｈを製造３０ＭＰａ等で噴射して、同一圧縮空気量既存ガスタービンの４倍燃料燃焼量とした、夫々の燃焼ガス４９を吸引噴射し、同一燃料量既存マイクロガスタービンの１００倍回転出力狙いとして、発電機１を駆動して蓄電池１Ａに蓄電し、蓄電池駆動車輪４Ｊを回転して通常の自動車運転にして、燃料費を既存自動車の１／１００狙い簡単ガス機関自動車８９Ｆにし、バスやタクシーや耕耘機等各種車両類での運用利益率を抜群世界一にして、地球温暖化防止にする。
【実施例１２】
【００２６】
図１２の簡単ガス機関船舶８９Ｇは、既存ガスタービン船舶の改良発明を改良した簡単ガス機関８９Ｃ駆動の船舶とし、実験が必要ですが超臨界圧力水蒸気５Ｈ製造量既存ボイラーの１３０倍狙いや、全動翼二重反転＋超臨界圧力水蒸気５Ｈ製造として、既存ガスタービンの１００倍回転出力狙いの簡単ガス機関８９Ｃにし、通常の空気圧縮燃料噴射燃焼と液体酸素液体窒素の圧縮噴射に燃料噴射燃焼して、夫々超臨界圧力水蒸気５Ｈを製造３０ＭＰａ等で超高速噴射し、同一圧縮空気量既存ガスタービンの４倍燃料燃焼量として、３０ＭＰａ噴射で内周の燃焼ガス４９排気を吸引噴射回転出力を増大して、簡単ガス機関８９Ｃを駆動スクリュウ７Ｃ駆動し、３０ＭＰａ噴射で外周より空気２８ａを吸引噴射して水の吸引噴射質量を増大して、同一燃料量既存ガスタービンの１００倍回転出力や１００倍噴射推進出力狙いとし、平坦な海上を空気浮上＋燃焼ガス浮上＋水蒸気浮上飛行機接近の超高速噴射推進にし、同一燃料量既存船舶の１０倍速度に近付けることで、簡単ガス機関船舶８９Ｇの運用利益率を抜群世界一として、地球温暖化防止にする。
【実施例１３】
【００２７】
図１３の簡単ガス機関飛行機８９Ｈは、既存ターボブロップエンジンの改良発明を改良した簡単ガス機関８９Ｃ駆動の飛行機とし、実験が必要ですが超臨界圧力水蒸気５Ｈ製造量既存ボイラーの１３０倍狙いや、、全動翼二重反転＋超臨界圧力水蒸気５Ｈ製造として、既存ガスタービンの１００倍回転出力や１００倍噴射推進出力の簡単ガス機関８９Ｃにし、通常の空気圧縮燃料噴射燃焼と液体酸素液体窒素の圧縮噴射に燃料噴射燃焼して、夫々超臨界圧力水蒸気５Ｈを製造３０ＭＰａ等で超高速噴射し、同一圧縮空気量既存ガスタービンの４倍燃料燃焼量として、３０ＭＰａ噴射で燃焼ガス４９を吸引噴射回転出力を増大し、簡単ガス機関８９Ｃを駆動プロペラ７Ａ駆動して、排気噴射で前方外周の空気２８ａを吸引超高速噴射して推進力を発生し、同一燃料量既存ターボブロップエンジンの１００倍回転出力や１００倍噴射推進出力狙いとして、大気中を飛行時には通常の空気圧縮燃料噴射燃焼で超臨界圧力水蒸気５Ｈを製造貯蔵増大し、通常最高飛行高度付近からの液体酸素液体窒素燃料３０ＭＰａ以上の液体圧縮噴射と燃料噴射燃焼して、その燃焼ガス４９を超臨界圧力水蒸気５Ｈで吸引噴射直線膨張にし、簡単ガス機関８９Ｃ駆動直線排気噴射にして、宇宙到達費用１／５０万等とし、宇宙到達費用を既存の飛行機程度にすることで、簡単ガス機関飛行機８９Ｈの運用利益率を抜群世界一にして、地球温暖化防止にする。
【実施例１４】
【００２８】
図１４の簡単空気噴射機関船舶８９Ｉは、既存ガスタービン船舶を改良した簡単空気噴射機関８９Ｄ駆動の船舶とし、実験が必要ですが超臨界圧力水蒸気５Ｈ製造量既存ボイラーの１３０倍狙いや、、全動翼二重反転＋超臨界圧力水蒸気５Ｈ製造として、既存ガスタービンの１００倍回転出力や１００倍噴射推進出力狙い簡単空気噴射機関８９Ｄとし、通常の空気圧縮燃料噴射燃焼と液体酸素液体窒素の圧縮噴射に燃料噴射燃焼として、夫々超臨界圧力水蒸気５Ｈを製造３０ＭＰａ等でロケット外箱７７Ｂ内に噴射し、前方の空気２８ａを吸引船底に噴射の過程で水を吸引噴射推進して、外周から空気２８ａを吸引噴射水を吸引噴射推進し、内周から排気を吸引噴射水を吸引噴射し回転出力を増大して、同一圧縮空気量既存ガスタービンの４倍燃料燃焼量とし、同一燃料量既存ガスタービン船舶の１００倍噴射推進出力狙いにして、平坦な海上を空気２８ａ浮上＋燃焼ガス４９浮上＋水蒸気５Ｈ浮上飛行機接近の超高速噴射推進にし、同一燃料量既存船舶の１０倍速度狙いにして、簡単空気噴射機関船舶８９Ｉの運用利益率を抜群世界一にし、地球温暖化防止する。
【実施例１５】
【００２９】
図１５の簡単噴射機関飛行機８９Ｊは、既存ジェットエンジンの改良発明を改良した簡単噴射機関８９Ｅ駆動の飛行機とし、実験が必要ですが超臨界圧力水蒸気５Ｈ製造量既存ボイラーの１３０倍狙いや、、全動翼二重反転＋超臨界圧力水蒸気５Ｈ製造として、既存ガスタービンの１００倍回転出力や１００倍噴射推進出力狙い簡単噴射機関８９Ｅとし、通常の空気圧縮燃料噴射燃焼と液体酸素液体窒素の圧縮噴射に燃料噴射燃焼して、夫々超臨界圧力水蒸気５Ｈを製造３０ＭＰａ等でロケット外箱７７Ｂ内に噴射し、前方と外周の空気２８ａを吸引噴射し内周の排気を吸引噴射して回転出力を増大して、同一圧縮空気量既存ガスタービンの４倍燃料燃焼量とし、夫々の燃焼ガス４９で簡単噴射機関８９Ｅを回転駆動後に排気噴射推進にし、同一燃料量既存ジェット機の１００倍噴射推進出力狙いとして、燃焼ガス４９＋超臨界圧力水蒸気５Ｈ超高速噴射推進し、大気中を飛行時には通常の空気圧縮燃料噴射燃焼で超臨界圧力水蒸気５Ｈを製造貯蔵増大して、通常最高飛行高度付近からの液体酸素液体窒素燃料３０ＭＰａ等の圧縮と燃料噴射燃焼にし、その燃焼ガス４９を３０ＭＰａ超臨界圧力水蒸気５Ｈで吸引噴射直線膨張排気噴射にして、宇宙到達費用１／５０万等とし、宇宙到達費用を既存の飛行機程度にすることで、簡単噴射機関飛行機８９Ｊの運用利益率を抜群世界一にして、地球温暖化防止にする。
【実施例１６】
【００３０】
図１６の回転翼飛行機８９Ｋは、既存ヘリコプターの改良発明を改良した簡単ガス機関８９Ｃ駆動の飛行機とし、実験が必要ですが超臨界圧力水蒸気５Ｈ製造量既存ボイラーの５０倍狙いや、、全動翼二重反転＋超臨界圧力水蒸気５Ｈ製造として、既存ガスタービンの１００倍回転出力や１００倍噴射推進出力の簡単ガス機関８９Ｃとし、通常の空気圧縮燃料噴射燃焼と液体酸素液体窒素の圧縮噴射に燃料噴射燃焼して、夫々超臨界圧力水蒸気５Ｈを製造３０ＭＰａ等で超高速噴射し、同一圧縮空気量既存ガスタービンの４倍燃料燃焼量製造の超臨界圧力水蒸気５Ｈ噴射して、夫々の燃焼ガス４９を吸引噴射し、簡単ガス機関８９Ｃを直線膨張の駆動として、その排気を超高速噴射して推進力を発生し、同一燃料量既存ヘリコプターの１００倍回転出力狙いで回転翼７Ｂを回転駆動して、大気中を飛行時には通常の空気圧縮燃料噴射燃焼で超臨界圧力水蒸気５Ｈを製造貯蔵増大し、通常最高飛行高度付近からの液体酸素液体窒素燃料３０ＭＰａ等の圧縮と燃料噴射燃焼して、その燃焼ガス４９排気を３０ＭＰａ超臨界圧力水蒸気５Ｈで吸引噴射直線膨張にし、簡単ガス機関８９Ｃ駆動直線排気噴射にして、宇宙到達費用１／５０万等とし、宇宙到達費用を既存の飛行機程度にすることで、回転翼飛行機８９Ｋの運用利益率を抜群世界一にして、月旅行や火星旅行狙う地球温暖化防止にする。
【実施例１７】
【００３１】
図１７の回転翼噴射飛行機８９Ｌは、既存ヘリコプターの改良発明を改良した簡単噴射機関８９Ｅ駆動の飛行機とし、実験が必要ですが超臨界圧力水蒸気５Ｈ製造量既存ボイラーの１３０倍狙いや、、全動翼二重反転＋超臨界圧力水蒸気５Ｈ製造として、既存ガスタービンの１００倍回転出力や１００倍噴射推進出力の簡単噴射機関８９Ｅとし、通常の空気圧縮燃料噴射燃焼と液体酸素液体窒素の圧縮噴射に燃料噴射燃焼して、夫々超臨界圧力水蒸気５Ｈを製造３０ＭＰａ等でロケット外箱７７Ｂ内に噴射し、上方と外周の空気２８ａを吸引噴射して、内周の燃焼ガス４９排気を吸引噴射して回転出力を増大した回転翼７Ｂ駆動にし、既存ジェット機の１００倍噴射推進狙いにして、同一圧縮空気量既存ガスタービンの４倍燃料燃焼量製造の超臨界圧力水蒸気５Ｈとし、夫々の燃焼ガス４９で簡単噴射機関８９Ｅを回転駆動し回転翼７Ｂ駆動にして、同一燃料量既存ジェット機の１００倍噴射推進出力狙いとし、燃焼ガス４９＋超臨界圧力水蒸気５Ｈ超高速噴射推進にして、大気中を飛行時には通常の空気圧縮燃料噴射燃焼で超臨界圧力水蒸気５Ｈを製造貯蔵増大し、通常最高飛行高度付近からの液体酸素液体窒素燃料３０ＭＰａ等の圧縮と燃料噴射燃焼にして、その燃焼ガス４９を３０ＭＰａ超臨界圧力水蒸気５Ｈで吸引噴射直線膨張排気噴射にし、宇宙到達費用１／５０万等として、宇宙到達費用を既存の飛行機燃料費程度にすることで、回転翼噴射飛行機８９Ｌの運用利益率を抜群世界一にし、月旅行や火星旅行狙う地球温暖化防止にする。
【実施例１８】
【００３２】
図１８の特大オスプレイ８９Ｍは、既存オスプレイの改良発明を改良した簡単噴射機関８９Ｅ駆動の飛行機とし、実験が必要ですが、同一圧縮空気量既存ガスタービンの４倍燃料燃焼量の超臨界圧力水蒸気５Ｈ製造量として、圧縮比８０で既存ボイラーの１３０倍製造量狙いにし、全動翼二重反転＋超臨界圧力水蒸気５Ｈ製造として、既存ガスタービンの１００倍回転出力や１００倍噴射推進出力の簡単噴射機関８９Ｅとし、通常の空気圧縮燃料噴射燃焼と液体酸素液体窒素の圧縮噴射に燃料噴射燃焼して、夫々超臨界圧力水蒸気５Ｈを製造３０ＭＰａ等でロケット外箱７７Ｂ内に噴射し、上方や外周の空気２８ａを吸引噴射して、内周の燃焼ガス４９排気を吸引噴射して回転出力を増大したプロペラ７Ａ駆動にし、夫々の燃焼ガス４９直線噴射で簡単噴射機関８９Ｅを回転駆動して、プロペラ７Ａ駆動後に排気噴射推進にし、同一燃料量既存ジェット機の１００倍噴射推進出力狙いとして、燃焼ガス４９＋超臨界圧力水蒸気５Ｈ超高速噴射推進にし、大気中を飛行時には通常の空気圧縮燃料噴射燃焼で超臨界圧力水蒸気５Ｈを製造貯蔵増大して、通常最高飛行高度付近からの液体酸素液体窒素燃料３０ＭＰａ等の圧縮と燃料噴射燃焼にし、その燃焼ガス４９を３０ＭＰａ超臨界圧力水蒸気５Ｈで吸引噴射直線膨張排気噴射にして、宇宙到達費用１／５０万等とし、宇宙到達費用を既存の飛行機燃料費程度にすることで、特大オスプレイ８９Ｍの運用利益率を抜群世界一狙いにし、月旅行や火星旅行狙う地球温暖化防止にする。
【実施例１９】
【００３３】
図１９の大型オスプレイ８９Ｎは、既存オスプレイの改良発明を改良した簡単ガス機関８９Ｃ駆動の飛行機とし、実験が必要ですが、同一圧縮空気量既存ガスタービンの４倍燃料燃焼量の超臨界圧力水蒸気５Ｈ製造量として、圧縮比８０で既存ボイラーの１３０倍製造量狙いにし、全動翼二重反転＋超臨界圧力水蒸気５Ｈ製造として、既存ガスタービンの１００倍回転出力や１００倍噴射推進出力の簡単ガス機関８９Ｃとし、通常の空気圧縮燃料噴射燃焼と液体酸素液体窒素の圧縮噴射に燃料噴射燃焼して、夫々超臨界圧力水蒸気５Ｈを製造３０ＭＰａ等で超高速噴射し、同一圧縮空気量既存ガスタービンの４倍燃料燃焼量の製造噴射として、夫々の燃焼ガス４９を吸引噴射し、簡単ガス機関８９Ｃを直線膨張の駆動として、その排気を超高速噴射して噴射推進出力を発生し、同一燃料量既存ヘリコプターの１００倍回転出力狙いでプロペラ７Ａを回転駆動して、大気中を飛行時には通常の空気圧縮燃料噴射燃焼で超臨界圧力水蒸気５Ｈを製造貯蔵増大し、通常最高飛行高度付近からの液体酸素液体窒素燃料３０ＭＰａ等の圧縮と燃料噴射燃焼して、その燃焼ガス４９を３０ＭＰａ超臨界圧力水蒸気５Ｈで吸引噴射直線膨張にし、簡単ガス機関８９Ｃ駆動直線排気噴射にして、宇宙到達費用１／５０万等とし、宇宙到達費用を既存の飛行機程度にすることで、大型オスプレイ８９Ｎの運用利益率を抜群世界一にし、月旅行や火星旅行狙う地球温暖化防止にする。
【産業上の利用可能性】
【００３４】
運動エネルギ＝質量×速度の２乗に比例する、で既存揚水発電と竪型全動翼蒸気水重力タービン１１Ｚ発電の優位性比較説明倍率を計算すると、同一水質量既存揚水発電の（マッハ３０÷マッハ１／５）の２乗＝２２５００倍発電量の竪型全動翼蒸気水重力タービン１１Ｚ発電となり、何れも燃料費０発電で既存最先端科学技術が無茶過ぎるため、既存世界の火力発電や原子力発電や風力発電や太陽光発電を全廃して、竪型全動翼蒸気水重力タービン１１Ｚ発電全部になる可能性がある。
【００３５】
断熱圧縮の温度上昇は空気温度２０℃が圧縮比８で１３倍の２６０℃になるため、圧縮比８０にすると１３０倍の２６００℃になる可能性があり、太陽光加熱器２１で２０℃を１０倍の２００℃に加熱して、圧縮比８０にすると１３００倍の２６０００℃になる可能があるため実験が必要で、最も効率良く圧縮する装置や圧縮空気熱交換器２Ｙ等、熱交換超臨界圧力水蒸気５Ｈ等最も性能が良い熱製造が必要ですが、挑戦した痕跡皆無のため、同一燃料燃焼量の超臨界圧力水蒸気５Ｈ製造量が既存ボイラーの１３００倍になる可能性があり、既存世界の火力発電ボイラーを全廃して、簡単ガス機関８９Ｃ圧縮空気熱交換器２Ｙによる超臨界圧力水蒸気５Ｈ製造全部になる可能性がある。
【００３６】
既存ガスタービンは静翼と動翼を交互に夫々半分具備して、圧縮機では圧縮空気を静翼で堰き止め方向転換繰り返す無茶圧縮にし、タービンでは燃焼ガスを静翼で堰き止め９０度方向転換を繰り返す無茶膨張にして、回転出力や噴射推進出力を１／１０〜１／１００等にしているため、静翼を円筒外側動翼群６０Ｄとして円筒内側動翼群６０Ｃと二重反転する、全動翼の簡単ガス機関８９Ｃや簡単空気噴射機関８９Ｄや簡単噴射機関８９Ｅ等とし、圧縮空気熱交換器２Ｙ具備し超臨界圧力水蒸気５Ｈ製造量を既存ボイラーの１３０倍にすると、回転出力や噴射推進出力が１０００倍になる可能性があり、既存のガスタービンやジェットエンジンや往復機関を全廃して、簡単ガス機関８９Ｃや簡単空気噴射機関８９Ｄや簡単噴射機関８９Ｅ駆動にし、自動車ではＣＯ２排気や燃料費を１／１００に近付ける可能性があり、船舶は同一燃料費で１０倍速度に近付ける可能性があり、飛行機は宇宙到達費用を１／５０万等として、宇宙利用全盛として地球上何処でも日帰り旅行にして地球温暖化防止する等、温熱冷熱利用全盛の大革命にする可能性もある。
【００３７】
質量×速度の２乗に比例するを利用可能な構成は、全動翼二重反転や一体タービン翼群８Ｇ以外は無く全動翼二重反転では外側軸装置が必要で超大型工作機械が必要に加えて、マッハ３０水速度駆動等で振動や共振を最小にするため、部品数１／１００等部品数最少が必須のため全く新しい工作機械が必須となり、二重反転機関用立型旋盤１０Ｂや二重反転用旋盤１０Ｃや圧縮翼用研削盤１０Ｄや出力翼用研削盤１０Ｅやタービン翼用研削盤１０Ｆ等工作機械の製造量が無限増大する可能性が非常に大きい。
【符号の説明】
【００３８】
０：各種エネルギ保存サイクル合体機関、  ０：各種エネルギ保存サイクル合体機関及び合体方法、  １：発電機、  １Ａ：蓄電池、  １Ｂ：圧力機関（酸素圧力歯車機関・酸素圧力往復機関・水圧力歯車機関・水圧力往復機関等液体圧縮で圧縮仕事率を１／６００の各種圧力機関にする）    １Ｃ：アルコール、  １Ｄ：燃料噴射ポンプ、  １Ｆ：復水ポンプ、  １Ｇ：１〜複数段熱ポンプ（熱エネルギを空気温度とし熱ポンプ（各種空気圧縮機）で複数回圧縮２Ｃの２Ｘ２Ｙ２Ｚで複数回熱回収温熱５０＋冷熱２８ａで分割保存）  １Ｋ：液体燃料制御弁、  １Ｌ：燃料加熱管、  １Ｑ：開閉弁、  １Ｙ：複数段燃焼室、  １ｂ：燃料（液体燃料＋液化可能気体燃料）  １ｂ：燃料管（燃料噴射温度が最適温度になるように具備する）      １ｃ：液体燃料、  １ｄ：水銀、  １ｇ：重力加速部、  １ｈ：横軸（外側軸装置と内側軸装置の回転方向交互にする軸）    ２：太陽光加熱器（長レンズで太陽光を直線状に集めて高温部形成吸入空気を加熱）  ２ａ：自然現象高速化（空気中では変化略０の残飯類が近くの川に移動すると一夜で０に近付く膨大な微生物量を人類の食糧増大に利用）    ２ａ：自然現象高速化（発電では海水に冷熱２８ａを混合自然現象高速化した海水を海底に供給窒素や酸素やＣＯ２等の栄養分を供給微生物増大して魚類やコンブ等食糧大増大する装置）  ２ａ：自然現象高速化（船舶では海中に窒素や酸素やＣＯ２等の栄養分を供給微生物の消化能力を森林の数万倍狙い植物プランクトンや海草等を増殖食物連鎖等により魚類やコンブ類等人類の食糧を増大）  ２ｂ：水抵抗僅少（船底に空気や燃焼ガスや過熱蒸気等を高速噴射して水抵抗僅少にする）  ２ｃ：断熱材、  ２ｄ：長レンズ（凸レンズ断面を直線状に延長矩形とし、複数使用で焦点距離最短レンズ幅最大狙う）    ２ｅ：水面、  ２ｇ：比重大物質加速方向、  ２ｈ：復水器、  ２ｉ：復水ポンプ、  ２Ａ：耐熱材、  ２Ｂ：熱吸収材、  ２Ｃ：１〜複数段圧縮熱回収器（熱エネルギを空気温度とし熱ポンプで複数回圧縮熱交換器で複数回熱回収して残りを温熱５０＋液体冷熱２８ａに分割保存）    ２Ｅ：比重大物質（合金含む、白金球・金球・タングステン合金粉末焼結球・銀球・銅球・錫球・鉛球・亜鉛球・アルミニウム球・インジウム・カドミウム・ガリウム・タリウム・ビスマス等比重の大きい物質）    ２Ｅ：比重大物質（製造法は小径程衝撃エネルギが低減するため例えば溶融鋼を空気中に噴射高速衝突粉砕空気冷却水冷却で超小径鋼球等製造）  ２Ｅ：比重大物質（シリコン樹脂被覆やケイ素樹脂被覆の、被覆白金合金球・被覆金合金球・被覆タングステン合金粉末焼結球・被覆銀合金球・被覆ビスマス合金球・被覆銅合金球・被覆錫合金球・被覆鉛合金球・被覆亜鉛合金球・被覆アルミニウム合金球）    ２Ｆ：比重大物質上昇装置（重力エネルギを上昇保存）    ２Ｈ：冷熱海水混合器、  ２Ｖ：低温排気熱交換器、  ２Ｗ：低温空気熱交換器、  ２Ｘ：空気熱交換器、  ２Ｙ：圧縮空気熱交換器（液体空気冷熱＋温熱製造する）    ２Ｚ：比重大物質熱交換器（５００度以下液体金属の温度管理等で使用）  ３ａ：撥水鍍金、  ３ｉ：簡単多段圧縮機、  ３ｓ：簡単圧縮機、  ３ｔ：空気タービン、  ３ｕ：タービン、  ３Ａ：撥水コーティング、  ３Ｂ：水圧力往復機関、  ３Ｄ：液体空気冷熱＋各種温熱の供給設備（冷熱＋温熱利用全盛にする）    ３Ｅ：比重大物質（水銀や水等常温で液体の比重大物質）    ３Ｅ：比重大物質（低融点合金の５００度以下液体で安定高温液体合金）    ３Ｆ：酸素圧力往復機関    ３Ｇ：理論燃焼歯車機関、  ３Ｈ：往復ピストン、  ３Ｊ：理論燃焼往復機関、  ３Ｋ：外接歯車、  ３Ｌ：複数段燃焼室、  ３Ｍ：水蒸気圧力往復機関、  ３Ｎ：水蒸気圧力歯車機関、  ３Ｐ：理論膨張機関（気体の体積は圧力に反比例する理論で最良機関＋酸素水素増大燃焼狙う）  ３Ｑ：理論膨張機関（ボイルの法則で最良機関＋真空中の最高加速駆動狙う）  ３Ｒ：理論ガスタービン（気体の体積は圧力に反比例対応の理論最良ガスタービン）  ３Ｓ：理論蒸気タービン（気体の体積は圧力に反比例対応の理論最良蒸気タービン）  ３Ｔ：理論気体圧縮機（気体の体積は圧力に反比例対応の理論最良気体圧縮機）    ３Ｕ：理論タービン、  ３Ｖ：ポンプ機関（既存各種ポンプをエンジンで使用）  ３Ｘ：圧縮機機関（既存各種圧縮機をエンジンで使用）  ３Ｙ：二重反転機関（気体の体積は圧力に反比例対応のエンジン）  ３Ｚ：酸素圧力歯車機関、  ３ａ：撥水鍍金、  ３ｂ：撥水コーティング、  ４Ｆ：燃焼ガス往復機関、  ４Ｈ：熱吸収管（長レンズ２ｄで太陽光を熱吸収管に直線状に集めて管内空気温度を最高に加熱して菅外空気温度も上昇する）  ４Ｊ：蓄電池駆動車輪、    ４Ｋ：理論膨張機関自動車、  ４Ｑ：理論燃焼室（過熱蒸気製造で理論空燃比燃焼既存の４倍燃焼量等や２０倍圧力過熱蒸気噴射狙う燃焼室）、  ４Ｗ：理論圧縮室、  ４Ｙ：理論燃焼室（水蒸気の中で高温燃焼して水の熱分解電気分解燃焼狙い化合物０狙い燃焼室）  ４Ｚ：燃焼ガス歯車機関、  ４Ｘ：タービン翼断面（断面積を拡大表面積増大）  ４ａ：液体燃料ポンプ、  ４ｂ：液体酸素ポンプ、  ４ｃ：水ポンプ、  ４ｄ：歯車装置、  ４ｅ：ローラー、  ４ｆ：回転支持部、  ５：空気噴射ノズル、  ５ａ：高圧高温燃焼ガス制御弁、  ５ｂ：圧縮吸入空気路、  ５ｄ：燃焼流内壁、  ５ｅ：超高圧酸素、  ５ｈ：精留塔排ガス、  ５ｈ：精留塔排ガス管、  ５Ａ：給気弁、  ５Ｂ：冷却ヒレ、  ５Ｃ：排気室  ５Ｄ：排気弁  ５Ｅ：給気室    ５Ｆ：酸素加熱管、  ５Ｇ：水蒸気加熱管、  ５Ｇ：高圧高温水加熱管、  ５Ｈ：超臨界圧力水蒸気、  ５Ｈ：超臨界圧力水蒸気管、  ５Ｋ：液体酸素、    ５Ｋ：液体酸素室、    ５Ｌ：液体窒素、  ５Ｌ：液体窒素室、  ５Ｍ：高圧高温燃焼室、  ５Ｍ：高圧高温燃焼ガス室、  ５Ｎ：高圧高温水蒸気室、  ５Ｎ：高圧高温水蒸気、  ５Ｐ：水蒸気制御弁、  ５Ｑ：水制御弁、    ５Ｒ：過熱蒸気制御弁、  ５Ｓ：圧縮空気加熱管、  ５Ｔ：液体酸素制御弁、  ６：最終圧縮翼、  ６Ａ：過熱蒸気ロケット噴口、  ６Ｂ：圧縮空気噴射ノズル、  ６Ｃ：燃焼ガス水蒸気ノズル、  ６Ｅ：比重大物質噴射ノズル、  ６Ｆ：水噴射ノズル、  ６Ｇ：外箱噴口、  ６Ｈ：排水管、  ６Ｌ：酸素噴射ノズル、  ６Ｍ：酸素窒素噴射ノズル、  ６Ｗ：比重大物質加速機（液体比重大物質３Ｅ圧力と比重差利用して比重大物質３Ｅや２Ｅ混合噴射）  ６Ｘ：燃料噴射ノズル、６Ｘ：アフターバーナー（吸引空気流に燃料噴射冷熱２８ａ燃焼流６Ｙに合流燃焼して燃料燃焼量大増大で宇宙上昇）  ６Ｙ：燃焼ガス噴射ノズル（冷熱２８ａ燃焼流）  ６Ｚ：過熱蒸気噴射ノズル、  ６ａ：初速製造部（逆浸透水５２Ｄを超臨界圧力水蒸気５Ｈ加速する）  ６ｂ：初速製造部（逆浸透水５２Ｄ＋２Ｅ〜３Ｅを超臨界圧力水蒸気５Ｈ加速する）  ７Ａ：プロペラ、  ７Ｂ：回転翼、  ７Ｃ：スクリュー、  ７Ｉ：簡単ガス機関自動車、  ７Ｊ：簡単ガス機関船舶、  ７Ｋ：簡単ガス機関飛行機、  ７Ｌ：簡単空気噴射機関船舶、  ７Ｍ：簡単噴射機関飛行機、  ７Ｎ：回転翼飛行機、  ７Ｏ：回転翼噴射飛行機、  ７Ｐ：特大オスプレイ、  ７Ｑ：大型オスプレイ、  ８ａ：二重反転タービン翼（製造時のタービン翼角度によりタービン回転数の増減を最大にしてマッハ３０水速度等の駆動狙う）  ８ｂ：直線タービン翼（駆動水速度等とタービン周速度が略同速度の超高速回転狙う）  ８ｃ：タービン翼（内側と外側動翼群夫々を内側と外側軸装置の円筒部に夫々嵌合組立固定する全自動製造加工狙うタービン翼）  ８ｄ：上側膨張翼群、  ８ｅ：下側膨張翼群、  ８ｆ：組立タービン翼群、  ８ｇ：上側圧縮翼群、  ８ｈ：下側圧縮翼群、  ８ｊ：組立圧縮翼群、  ８ｋ：内側圧縮翼、  ８ｍ：外側圧縮翼、  ８ｎ：内側出力翼、  ８ｐ：外側出力翼、  ８ｑ：内側二重反転圧縮翼（水冷却圧縮翼として経験しない超高速二重反転回転速度で圧縮する）  ８ｒ：外側二重反転圧縮翼（水冷却圧縮翼として経験しない超高速二重反転回転速度で圧縮する）  ８ｓ：内側二重反転出力翼（経験しない超高速燃焼ガスでも超高速二重反転出力にする）  ８ｔ：外側二重反転出力翼（経験しない超高速燃焼ガスでも超高速二重反転出力にする）  ８Ｂ：横型全動翼水重力タービン、  ８Ｃ：横型全動翼比重大物質重力タービン、  ８Ｄ：横型全動翼水重力タービン、  ８Ｅ：横型全動翼比重大物質重力タービン、  ８Ｆ：タービン翼群、  ８Ｇ：一体タービン翼群、  ８Ｖ：竪型全動翼水重力タービン、  ８Ｗ：竪型全動翼比重大物質重力タービン、  ８Ｘ：竪型全動翼水重力タービン、  ８Ｙ：竪型全動翼比重大物質重力タービン、  ９：耐摩耗環状組立（８ｃを含む比重大物質流路のみ超硬合金で環状製造軽量化する嵌合組立方法）  ９ｂ：上吸引下反発磁石、  ９Ａ：円筒環状組立（耐摩耗円筒環状組立て動翼群タービン翼（８ａ）６種類逆回転用６種類にすることで構造簡単や部品数僅少や全自動加工容易や組立容易や軽量化容易等にする）  ９Ａ：円筒環状組立（外入口翼６０ｅ＋外中間翼６０ｇ＋外出口翼６０ｋ嵌合で外側動翼６０ｄを構成し、内入口翼６０ｆ＋内中間翼６０ｈ＋内出口翼６０ｊ嵌合で内側動翼６０ｃを構成する円筒部）  ９Ｂ：反発永久磁石、  ９Ｃ：吸引永久磁石、  ９Ｄ：圧縮空気部、  ９Ｅ：真空部、  ９Ｍ：嵌合組立部、  ９Ｑ：垂直平行板（噴射空気を保存船尾に誘導する垂直平行の板）  １０：船体、  １０Ａ：船室、  １０ｂ：操縦室、  １０ｃ：制御室、  １０ｄ：客室、  １０ｅ：貨物室、  １１：竪型全動翼蒸気水重力タービン１１ＺＡ：竪型全動翼水重力タービン、  １１Ｂ：竪型全動翼比重大物質重力タービン、  １１Ｃ：横型全動翼水重力タービン、  １１Ｄ：気体専用冷却室、  １１Ｅ：横型全動翼比重大物質重力タービン、  １１Ｆ：竪型全動翼蒸気タービン、  １１Ｗ：横型全動翼蒸気比重大物質重力タービン、  ���１Ｘ：横型全動翼蒸気水重力タービン、  １１Ｙ：竪型全動翼蒸気比重大物質重力タービン、  １１Ｚ：竪型全動翼蒸気水重力タービン、  １２：重力発電建物、  １２Ａ：鉄骨骨組、  １２Ｂ：柱管、  １２Ｃ：軸受、  １２Ｄ：角フランジ、  １２Ｅ：フランジ、  １６：水平軸板（精密組立を容易にする円盤）  １６Ｂ：垂直軸、  ２１：太陽光加熱器（吸入空気路を熱吸収管４Ｈ内にも設けて主使用する）  ２４：燃焼ガス制御弁、  ２４Ａ：圧縮空気制御弁、  ２４Ｂ：液体酸素制御弁、  ２４Ｃ：液体窒素制御弁、  ２４Ｄ：酸素制御弁、  ２４Ｅ：窒素制御弁、  ２５：過熱蒸気制御弁、  ２５ｂ：燃料制御弁、  ２５ｃ：燃料管、  ２８ａ：空気、  ２８ａ：冷熱（空気２８ａを熱ポンプで圧縮して圧縮空気熱量の過熱蒸気５０温熱＋液体酸素や液体窒素を含む圧縮空気２８ａ冷熱に分割保存）  ２８ｂ：圧縮空気熱量、  ２８Ａ：吸入空気路、  ２８Ｂ：空気路入口、  ３８：回転案内具、  ３８ａ：飛行胴、  ３８ｂ：飛行翼、  ３８ｃ：飛行尾翼、  ３８ｄ：垂直翼、  ３８ｅ：翼前縁心、  ３８ｇ：水上翼、  ３８ｈ：浮上艇、  ３８Ｂ：空気吸引噴射船舶（８０Ｓ８０Ｔ８０Ｙ８０Ｚ具備）    ３８Ｃ：水吸引噴射船舶（８０Ｕ８０Ｘ具備）    ３８Ｈ：理論スクリュウ船舶、  ３８Ｊ：理論噴射船舶、  ３８Ｔ：理論噴射飛行機、  ３８Ｕ：理論プロペラ飛行機、  ３９Ａ：太陽熱重力飛行機、  ３９Ｂ：太陽熱重力回転飛行機、  ３９Ｃ：太陽熱重力ヘリコプター、  ３９Ｄ：スクリュー船舶、    ３９Ｇ：太陽熱重力飛行船舶、  ３９Ｈ：酸素合体スクリュー船舶、  ３９Ｊ：酸素合体噴射船舶、  ３９Ｋ：酸素合体スクリュー噴射船舶、  ３９Ｌ：酸素合体噴射飛行機、  ３９Ｍ：酸素合体プロペラ飛行機、  ３９Ｎ：酸素合体プロペラ噴射飛行機、  ３９Ｐ：酸素合体回転翼飛行機、  ３９Ｑ：酸素合体スクリュー船舶、  ３９Ｒ：酸素合体噴射船舶、  ３９Ｓ：酸素合体スクリュー噴射船舶、  ３９Ｔ：酸素合体噴射飛行機、  ３９Ｕ：酸素合体プロペラ飛行機、  ４０Ａ：方向舵、  ４９：燃焼ガス、  ５０：過熱蒸気、  ５０：過熱蒸気室、  ５０：温熱（空気２８ａを熱ポンプで圧縮して圧縮空気熱量の過熱蒸気５０温熱＋圧縮空気２８ａ冷熱に分割保存）  ５０Ａ：水
蒸気、  ５０ａ：過熱蒸気噴射管、  ５１：空気抽出器、  ５１：合流抽出器（合流するための抽出器）    ５１Ａ：空気抽出室、  ５２Ａ：水、  ５２Ｂ：水管、  ５２Ｃ：アルコール、  ５２Ｃ：アルコール管、  ５２Ｄ：逆浸透水（逆浸透膜純水）  ５２ａ：海洋深層水、  ５２ｂ：高温水、  ５２ｄ：温熱（５０から変化）  ５２ｅ：冷熱（２８ａから変化）  ５５Ｂ：変速装置、    ６０：円筒動翼群、  ６０Ａ：内側軸装置（タービン翼具備装置）  ６０Ｂ：外側軸装置（タービン翼具備装置）    ６０Ｃ：円筒内側動翼群（耐摩耗円筒環状組立固定動翼群を含めて全自動加工容易組立容易にする）  ６０Ｄ：円筒外側動翼群（耐摩耗円筒環状組立固定動翼群を含めて全自動加工容易組立容易にする）  ６０Ｅ：入口固定外翼（外側動翼群を環状組立固定する入口翼）  ６０Ｆ：入口固定内翼（内側動翼群を環状組立固定する入口翼）  ６０Ｇ：外側環状翼（外側動翼群を環状組立する中間翼）  ６０Ｈ：内側環状翼（内側動翼群を環状組立する中間翼）  ６０Ｊ：出口固定外翼（外側動翼群を環状組立固定する出口翼）  ６０Ｋ：出口固定内翼（内側動翼群を環状組立固定する出口翼）  ６０ｃ：内側動翼、  ６０ｄ：外側動翼、  ６０ｅ：外入口翼、  ６０ｆ：内入口翼、  ６０ｇ：外中間翼、  ６０ｈ：内中間翼、  ６０ｊ：内出口翼、  ６０ｋ：外出口翼、  ７６：歯車装置（磁気摩擦動力伝達装置を含む）  ７７Ｂ：ロケット外箱、  ７７Ｃ：二重反転機外箱、  ７７Ｆ：噴射部外箱、  ７７Ｇ：円筒回転部、  ７７ａ：タービン外箱、  ７７ｂ：圧縮機外箱、  ８０：軸受（磁気軸受＋空気軸受含）  ８０ａ：推力軸受（磁気軸受＋空気軸受含）  ８０Ａ：継手、  ８０Ｂ：締付具、  ８０Ｙ：液体空気吸引ウォータージェット（高圧高温燃焼室５Ｍ高圧高温水蒸気室５Ｎを受給して５Ｍに複数回燃料噴射燃焼して５Ｎを内周と内周外周から複数回加熱して噴射し、空気吸引噴射して水を吸引噴射する）  ８０Ｚ：液体空気吸引ウォータージェット（高圧高温燃焼室５Ｍ高圧高温水蒸気室５Ｎを受給して５Ｍに複数回燃料噴射燃焼して５Ｎを内周と内周外周から複数回加熱して噴射し、空気吸引流複数か所にも燃料噴射燃焼噴射して、空気吸引噴射して水を吸引噴射する）  ８４：二重反転磁気摩擦装置（固定部具備内側動翼群と外側動翼群を略同速度反対回転にする装置）  ８４Ｙ：二重反転歯車装置（既存技術で二重反転する装置）  ８５：二重反転磁気装置（磁石利用歯車高さ僅少から無接触にし横軸１ｈ歯車により相互逆回転にする）  ８５Ｙ：二重反転歯車装置（既存横軸１ｈ歯車により相互逆回転にする）  ８８ｐ：液体酸素製造機、    ８８ｑ：簡単ガス機関、  ８８ｒ：簡単空気噴射機関、  ８８ｓ：簡単噴射機関、  ８８Ａ：酸素合体空気噴射部（ロケット燃焼＋ジェット燃焼＋水蒸気噴射等と合体噴射）  ８８Ｂ：酸素合体空気噴射部（超高圧ロケット燃焼＋ジェット燃焼＋過熱蒸気噴射吸引）  ８８Ｃ：理論空気噴射部、  ８８Ｍ：理論水噴射部、  ８８Ｋ：酸素合体水噴射部（ロケット燃焼＋ジェット燃焼＋水蒸気噴射等と合体噴射）  ８８Ｌ：酸素合体水噴射部（超高圧ロケット燃焼＋ジェット燃焼＋過熱蒸気噴射吸引）  ８９Ａ：液体酸素製造機、  ８９Ｂ：簡単多段圧縮機、  ８９Ｃ：簡単ガス機関、  ８９Ｄ：簡単空気噴��機関、  ８９Ｅ：簡単噴射機関、  ８９Ｆ：簡単ガス機関自動車、  ８９Ｇ：簡単ガス機関船舶、  ８９Ｈ：簡単ガス機関飛行機、  ８９Ｉ：簡単空気噴射機関船舶、  ８９Ｊ：簡単噴射機関飛行機、  ８９Ｋ：回転翼飛行機、  ８９Ｌ：回転翼噴射飛行機、  ８９Ｍ：特大オスプレイ、  ８９Ｎ：大型オスプレイ、  ８９Ｐ：簡単ガス機関、  ９５ａ：燃焼ガス溜、  ９５ｂ：圧縮空気溜、  ９５ｃ：過熱蒸気溜、  １０３：冷熱回収器、
【図１】
2015086695.tif 000003
【図２】
2015086695.tif 000004
【図３】
2015086695.tif 000005
【図４】
2015086695.tif 000006
【図５】
2015086695.tif 000007
【図６】
2015086695.tif 000008
【図７】
2015086695.tif 000009
【図８】
2015086695.tif 000010
【図９】
2015086695.tif 000011
【図１０】
2015086695.tif 000012
【図１１】
2015086695.tif 000013
【図１２】
2015086695.tif 000014
【図１３】
2015086695.tif 000015
【図１４】
2015086695.tif 000016
【図１５】
2015086695.tif 000017
【図１６】
2015086695.tif 000018
【図１７】
2015086695.tif 000019
【図１８】
2015086695.tif 000020
【図１９】
2015086695.tif 000021